(57)【要約】  狭帯域物理ダウンリンク制御チャネル(NPDCCH)または狭帯域物理ダウンリンク共有チャネル(NPDSCH)などの物理チャネルを、基地局(BS)が送信し得、ユーザ機器(UE)が受信し得る。ネットワークにおける干渉制限されたシナリオでは、UEが制御チャネルのデータを復元できることを確実にするために、制御チャネルの中に干渉ランダム化を導入するための追加の処理を実行することが望ましい場合がある。レガシーUEなどのいくつかのタイプのUEは、追加の処理が実行されるときに制御チャネルを復元できない場合がある。いくつかの態様では、BSは、セルに関連付けられたUEのタイプを識別し得、セルに関連付けられたUEのタイプに少なくとも部分的に基づいて選択される処理方式を使用して処理された物理チャネルを送信し得る。
2020511843.tif 000002
【特許請求の範囲】
【請求項１】
ワイヤレス通信のための方法であって、
セルに関連付けられたユーザ機器のタイプを基地局によって識別するステップと、
前記ユーザ機器の前記タイプに少なくとも部分的に基づいて、前記セルのチャネル用の処理方式を前記基地局によって識別するステップであって、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、ステップと、
前記処理方式を識別することに少なくとも部分的に基づく前記処理方式を使用して処理された前記チャネルを、前記基地局によって送信するステップと
を備える方法。
【請求項２】
前記ユーザ機器の前記タイプが、前記ユーザ機器から受信される能力指示に少なくとも部分的に基づいて識別される、請求項1に記載の方法。
【請求項３】
前記能力指示が、前記ユーザ機器のリリースバージョンを識別する、請求項2に記載の方法。
【請求項４】
前記処理方式に対応する処理方式指示が、前記セルの前記ユーザ機器に提供される、請求項1に記載の方法。
【請求項５】
前記処理方式指示が、無線リソース制御再構成メッセージを使用してシグナリングされる、請求項4に記載の方法。
【請求項６】
送信する前記ステップが、
第1の処理方式指示を第1のユーザ機器に提供することに少なくとも部分的に基づいて、前記第1の処理方式を使用して処理された第1のチャネルを前記第1のタイプの前記第1のユーザ機器へ送信するステップと、
第2の処理方式指示を第2のユーザ機器に提供することに少なくとも部分的に基づいて、前記第2の処理方式を使用して処理された第2のチャネルを前記第2のタイプの前記第2のユーザ機器へ送信するステップとを備え、
前記チャネルが、前記第1のチャネルまたは前記第2のチャネルである、
請求項1に記載の方法。
【請求項７】
前記ユーザ機器の前記タイプが、受信された構成メッセージまたは能力メッセージに少なくとも部分的に基づいて識別される、請求項1に記載の方法。
【請求項８】
前記処理方式の前記識別が、キャリアのタイプに少なくとも部分的に基づき、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項1に記載の方法。
【請求項９】
前記キャリアの前記タイプがアンカーキャリアである、請求項8に記載の方法。
【請求項１０】
前記キャリアの前記タイプがページング用またはランダムアクセス用の非アンカーキャリアである、請求項8に記載の方法。
【請求項１１】
前記処理方式が、前記チャネルのタイプに少なくとも部分的に基づいて識別される、請求項1に記載の方法。
【請求項１２】
前記チャネルのタイプが、マルチキャスト制御チャネルまたはマルチキャストトラフィックチャネルである、請求項1に記載の方法。
【請求項１３】
前記第1の処理方式が、ランダムアクセスリソースの第1のセットを使用して前記セルにアクセスした第1の1つまたは複数のユーザ機器に対して使用され、
前記第2の処理方式が、ランダムアクセスリソースの第2のセットを使用して前記セルにアクセスした第2の1つまたは複数のユーザ機器に対して使用される、
請求項1に記載の方法。
【請求項１４】
前記チャネルが、前記第1の処理方式を使用して処理されたとき、前記セルの第1の探索空間を使用して送信され、または
前記チャネルが、前記第2の処理方式を使用して処理されたとき、前記セルの第2の探索空間を使用して送信される、
請求項1に記載の方法。
【請求項１５】
前記第1の処理方式を使用して処理された第1のチャネル、および前記第2の処理方式を使用して処理された第2のチャネルが、並行して送信される、請求項1に記載の方法。
【請求項１６】
ワイヤレス通信のためのデバイスであって、
メモリと、
前記メモリに結合された1つまたは複数のプロセッサとを備え、前記メモリおよび前記1つまたは複数のプロセッサが、
セルに関連付けられたユーザ機器のタイプを識別することと、
前記ユーザ機器の前記タイプに少なくとも部分的に基づいて、前記セルのチャネル用の処理方式を識別することであって、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、識別することと、
前記処理方式を識別することに少なくとも部分的に基づく前記処理方式を使用して処理された前記チャネルを送信することとを行うように構成される、
デバイス。
【請求項１７】
前記ユーザ機器の前記タイプが、前記ユーザ機器から受信される能力指示に少なくとも部分的に基づいて識別される、請求項16に記載のデバイス。
【請求項１８】
前記能力指示が、前記ユーザ機器のリリースバージョンを識別する、請求項17に記載のデバイス。
【請求項１９】
前記処理方式に対応する処理方式指示が、前記セルの前記ユーザ機器に提供される、請求項16に記載のデバイス。
【請求項２０】
前記処理方式指示が、無線リソース制御再構成メッセージを使用してシグナリングされる、請求項19に記載のデバイス。
【請求項２１】
前記1つまたは複数のプロセッサが、送信するように構成されたとき、
第1の処理方式指示を第1のユーザ機器に提供することに少なくとも部分的に基づいて、前記第1の処理方式を使用して処理された第1のチャネルを前記第1のタイプの前記第1のユーザ機器へ送信し、
第2の処理方式指示を第2のユーザ機器に提供することに少なくとも部分的に基づいて、前記第2の処理方式を使用して処理された第2のチャネルを前記第2のタイプの前記第2のユーザ機器へ送信するように構成され、
前記チャネルが、前記第1のチャネルまたは前記第2のチャネルである、
請求項16に記載のデバイス。
【請求項２２】
前記ユーザ機器の前記タイプが、受信された構成メッセージまたは能力メッセージに少なくとも部分的に基づいて識別される、請求項16に記載のデバイス。
【請求項２３】
前記処理方式の前記識別が、キャリアのタイプに少なくとも部分的に基づき、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項16に記載のデバイス。
【請求項２４】
前記キャリアの前記タイプがアンカーキャリアである、請求項23に記載のデバイス。
【請求項２５】
前記キャリアの前記タイプがページング用またはランダムアクセス用の非アンカーキャリアである、請求項23に記載のデバイス。
【請求項２６】
前記処理方式が、前記チャネルのタイプに少なくとも部分的に基づいて識別される、請求項16に記載のデバイス。
【請求項２７】
前記チャネルのタイプが、マルチキャスト制御チャネルまたはマルチキャストトラフィックチャネルである、請求項16に記載のデバイス。
【請求項２８】
前記第1の処理方式が、ランダムアクセスリソースの第1のセットを使用して前記セルにアクセスした第1の1つまたは複数のユーザ機器に対して使用され、
前記第2の処理方式が、ランダムアクセスリソースの第2のセットを使用して前記セルにアクセスした第2の1つまたは複数のユーザ機器に対して使用される、
請求項16に記載のデバイス。
【請求項２９】
前記チャネルが、前記第1の処理方式を使用して処理されたとき、前記セルの第1の探索空間を使用して送信され、または
前記チャネルが、前記第2の処理方式を使用して処理されたとき、前記セルの第2の探索空間を使用して送信される、
請求項16に記載のデバイス。
【請求項３０】
前記第1の処理方式を使用して処理された第1のチャネル、および前記第2の処理方式を使用して処理された第2のチャネルが、並行して送信される、請求項16に記載のデバイス。
【請求項３１】
ワイヤレス通信のための装置であって、
セルに関連付けられたユーザ機器のタイプを識別するための手段と、
前記ユーザ機器の前記タイプに少なくとも部分的に基づいて、前記セルのチャネル用の処理方式を識別するための手段であって、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、手段と、
前記処理方式を識別することに少なくとも部分的に基づく前記処理方式を使用して処理された前記チャネルを送信するための手段と
を備える装置。
【請求項３２】
前記ユーザ機器の前記タイプが、前記ユーザ機器から受信される能力指示に少なくとも部分的に基づいて識別される、請求項31に記載の装置。
【請求項３３】
前記能力指示が、前記ユーザ機器のリリースバージョンを識別する、請求項32に記載の装置。
【請求項３４】
前記処理方式に対応する処理方式指示が、前記セルの前記ユーザ機器に提供される、請求項31に記載の装置。
【請求項３５】
前記処理方式指示が、無線リソース制御再構成メッセージを使用してシグナリングされる、請求項34に記載の装置。
【請求項３６】
送信するための前記手段が、
第1の処理方式指示を第1のユーザ機器に提供することに少なくとも部分的に基づいて、前記第1の処理方式を使用して処理された第1のチャネルを前記第1のタイプの前記第1のユーザ機器へ送信するための手段と、
第2の処理方式指示を第2のユーザ機器に提供することに少なくとも部分的に基づいて、前記第2の処理方式を使用して処理された第2のチャネルを前記第2のタイプの前記第2のユーザ機器へ送信するための手段とを備え、
前記チャネルが、前記第1のチャネルまたは前記第2のチャネルである、
請求項31に記載の装置。
【請求項３７】
前記ユーザ機器の前記タイプが、受信された構成メッセージまたは能力メッセージに少なくとも部分的に基づいて識別される、請求項31に記載の装置。
【請求項３８】
前記処理方式の前記識別が、キャリアのタイプに少なくとも部分的に基づき、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項31に記載の装置。
【請求項３９】
前記キャリアの前記タイプがアンカーキャリアである、請求項38に記載の装置。
【請求項４０】
前記キャリアの前記タイプがページング用またはランダムアクセス用の非アンカーキャリアである、請求項38に記載の装置。
【請求項４１】
前記処理方式が、前記チャネルのタイプに少なくとも部分的に基づいて識別される、請求項31に記載の装置。
【請求項４２】
前記チャネルのタイプが、マルチキャスト制御チャネルまたはマルチキャストトラフィックチャネルである、請求項31に記載の装置。
【請求項４３】
前記第1の処理方式が、ランダムアクセスリソースの第1のセットを使用して前記セルにアクセスした第1の1つまたは複数のユーザ機器に対して使用され、
前記第2の処理方式が、ランダムアクセスリソースの第2のセットを使用して前記セルにアクセスした第2の1つまたは複数のユーザ機器に対して使用される、
請求項31に記載の装置。
【請求項４４】
前記チャネルが、前記第1の処理方式を使用して処理されたとき、前記セルの第1の探索空間を使用して送信され、または
前記チャネルが、前記第2の処理方式を使用して処理されたとき、前記セルの第2の探索空間を使用して送信される、
請求項31に記載の装置。
【請求項４５】
前記第1の処理方式を使用して処理された第1のチャネル、および前記第2の処理方式を使用して処理された第2のチャネルが、並行して送信される、請求項31に記載の装置。
【請求項４６】
ワイヤレス通信のための命令を記憶する非一時的コンピュータ可読媒体であって、前記命令が、
デバイスの1つまたは複数のプロセッサによって実行されたとき、前記1つまたは複数のプロセッサに、
セルに関連付けられたユーザ機器のタイプを識別することと、
前記ユーザ機器の前記タイプに少なくとも部分的に基づいて、前記セルのチャネル用の処理方式を識別することであって、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、識別することと、
前記処理方式を識別することに少なくとも部分的に基づく前記処理方式を使用して処理された前記チャネルを送信することとをさせる1つまたは複数の命令を備える、
非一時的コンピュータ可読媒体。
【請求項４７】
前記ユーザ機器の前記タイプが、前記ユーザ機器から受信される能力指示に少なくとも部分的に基づいて識別される、請求項46に記載の非一時的コンピュータ可読媒体。
【請求項４８】
前記能力指示が、前記ユーザ機器のリリースバージョンを識別する、請求項47に記載の非一時的コンピュータ可読媒体。
【請求項４９】
前記処理方式に対応する処理方式指示が、前記セルの前記ユーザ機器に提供される、請求項46に記載の非一時的コンピュータ可読媒体。
【請求項５０】
前記処理方式指示が、無線リソース制御再構成メッセージを使用してシグナリングされる、請求項49に記載の非一時的コンピュータ可読媒体。
【請求項５１】
前記1つまたは複数のプロセッサに送信させる前記1つまたは複数の命令が、前記1つまたは複数のプロセッサに、
第1の処理方式指示を第1のユーザ機器に提供することに少なくとも部分的に基づいて、前記第1の処理方式を使用して処理された第1のチャネルを前記第1のタイプの前記第1のユーザ機器へ送信させ、
第2の処理方式指示を第2のユーザ機器に提供することに少なくとも部分的に基づいて、前記第2の処理方式を使用して処理された第2のチャネルを前記第2のタイプの前記第2のユーザ機器へ送信させ、
前記チャネルが、前記第1のチャネルまたは前記第2のチャネルである、
請求項46に記載の非一時的コンピュータ可読媒体。
【請求項５２】
前記ユーザ機器の前記タイプが、受信された構成メッセージまたは能力メッセージに少なくとも部分的に基づいて識別される、請求項46に記載の非一時的コンピュータ可読媒体。
【請求項５３】
前記処理方式の前記識別が、キャリアのタイプに少なくとも部分的に基づき、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項46に記載の非一時的コンピュータ可読媒体。
【請求項５４】
前記キャリアの前記タイプがアンカーキャリアである、請求項53に記載の非一時的コンピュータ可読媒体。
【請求項５５】
前記キャリアの前記タイプがページング用またはランダムアクセス用の非アンカーキャリアである、請求項53に記載の非一時的コンピュータ可読媒体。
【請求項５６】
前記処理方式が、前記チャネルのタイプに少なくとも部分的に基づいて識別される、請求項46に記載の非一時的コンピュータ可読媒体。
【請求項５７】
前記チャネルのタイプが、マルチキャスト制御チャネルまたはマルチキャストトラフィックチャネルである、請求項46に記載の非一時的コンピュータ可読媒体。
【請求項５８】
前記第1の処理方式が、ランダムアクセスリソースの第1のセットを使用して前記セルにアクセスした第1の1つまたは複数のユーザ機器に対して使用され、
前記第2の処理方式が、ランダムアクセスリソースの第2のセットを使用して前記セルにアクセスした第2の1つまたは複数のユーザ機器に対して使用される、
請求項46に記載の非一時的コンピュータ可読媒体。
【請求項５９】
前記チャネルが、前記第1の処理方式を使用して処理されたとき、前記セルの第1の探索空間を使用して送信され、または
前記チャネルが、前記第2の処理方式を使用して処理されたとき、前記セルの第2の探索空間を使用して送信される、
請求項46に記載の非一時的コンピュータ可読媒体。
【請求項６０】
前記第1の処理方式を使用して処理された第1のチャネル、および前記第2の処理方式を使用して処理された第2のチャネルが、並行して送信される、請求項46に記載の非一時的コンピュータ可読記憶媒体。
【請求項６１】
ワイヤレス通信のための方法であって、
ユーザ機器のタイプに少なくとも部分的に基づいて識別される処理方式を使用して処理された、セルのチャネルを前記ユーザ機器によって基地局から受信するステップを備え、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、
方法。
【請求項６２】
前記ユーザ機器の前記タイプを示すための能力指示を、前記セルに関連付けられた基地局へ送信するステップ
をさらに備える、請求項61に記載の方法。
【請求項６３】
前記能力指示が、前記ユーザ機器のリリースバージョンを識別する、請求項62に記載の方法。
【請求項６４】
前記処理方式に対応する処理方式指示が、前記基地局から受信される、請求項61に記載の方法。
【請求項６５】
前記処理方式指示が、無線リソース制御再構成メッセージの中で受信される、請求項64に記載の方法。
【請求項６６】
前記処理方式指示が、システム情報ブロックの中で受信される、請求項64に記載の方法。
【請求項６７】
構成メッセージまたは能力メッセージを送信するステップをさらに備える、請求項61に記載の方法。
【請求項６８】
前記処理方式が、キャリアのタイプに少なくとも部分的に基づいて識別され、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項61に記載の方法。
【請求項６９】
前記キャリアの前記タイプがページング用またはランダムアクセス用の非アンカーキャリアである、請求項68に記載の方法。
【請求項７０】
前記キャリアに対する処理方式指示を受信するステップをさらに備える、請求項68に記載の方法。
【請求項７１】
前記処理方式が、前記チャネルのタイプに少なくとも部分的に基づいて識別される、請求項61に記載の方法。
【請求項７２】
前記チャネルのタイプが、マルチキャスト制御チャネルまたはマルチキャストトラフィックチャネルである、請求項61に記載の方法。
【請求項７３】
ワイヤレス通信のためのデバイスであって、
メモリと、
前記メモリに結合された1つまたは複数のプロセッサとを備え、前記メモリおよび前記1つまたは複数のプロセッサが、
ユーザ機器のタイプに少なくとも部分的に基づいて識別される処理方式を使用して処理された、セルのチャネルを基地局から受信するように構成され、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、
デバイス。
【請求項７４】
前記ユーザ機器の前記タイプを示すための能力指示を、前記セルに関連付けられた基地局へ送信すること
をさらに備える、請求項73に記載のデバイス。
【請求項７５】
前記能力指示が、前記ユーザ機器のリリースバージョンを識別する、請求項74に記載のデバイス。
【請求項７６】
前記処理方式に対応する処理方式指示が、前記基地局から受信される、請求項73に記載のデバイス。
【請求項７７】
前記処理方式指示が、無線リソース制御再構成メッセージの中で受信される、請求項76に記載のデバイス。
【請求項７８】
前記処理方式指示が、システム情報ブロックの中で受信される、請求項76に記載のデバイス。
【請求項７９】
前記1つまたは複数のプロセッサが、構成メッセージまたは能力メッセージを送信するようにさらに構成される、請求項73に記載のデバイス。
【請求項８０】
前記処理方式が、キャリアのタイプに少なくとも部分的に基づいて識別され、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項73に記載のデバイス。
【請求項８１】
前記キャリアの前記タイプがページング用またはランダムアクセス用の非アンカーキャリアである、請求項80に記載のデバイス。
【請求項８２】
前記1つまたは複数のプロセッサが、前記キャリアに対する処理方式指示を受信するようにさらに構成される、請求項80に記載のデバイス。
【請求項８３】
前記処理方式が、前記チャネルのタイプに少なくとも部分的に基づいて識別される、請求項73に記載のデバイス。
【請求項８４】
前記チャネルのタイプが、マルチキャスト制御チャネルまたはマルチキャストトラフィックチャネルである、請求項73に記載のデバイス。
【請求項８５】
ワイヤレス通信のための装置であって、
ユーザ機器のタイプに少なくとも部分的に基づいて識別される処理方式を使用して処理された、セルのチャネルを基地局から受信するための手段を備え、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、
装置。
【請求項８６】
前記ユーザ機器の前記タイプを示すための能力指示を、前記セルに関連付けられた基地局へ送信するための手段
をさらに備える、請求項85に記載の装置。
【請求項８７】
前記能力指示が、前記ユーザ機器のリリースバージョンを識別する、請求項86に記載の装置。
【請求項８８】
前記処理方式に対応する処理方式指示が、前記基地局から受信される、請求項85に記載の装置。
【請求項８９】
前記処理方式指示が、無線リソース制御再構成メッセージの中で受信される、請求項88に記載の装置。
【請求項９０】
前記処理方式指示が、システム情報ブロックの中で受信される、請求項88に記載の装置。
【請求項９１】
構成メッセージまたは能力メッセージを送信するための手段をさらに備える、請求項85に記載の装置。
【請求項９２】
前記処理方式が、キャリアのタイプに少なくとも部分的に基づいて識別され、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項85に記載の装置。
【請求項９３】
前記キャリアの前記タイプがページング用またはランダムアクセス用の非アンカーキャリアである、請求項92に記載の装置。
【請求項９４】
前記キャリアに対する処理方式指示を受信することをさらに備える、請求項92に記載の装置。
【請求項９５】
前記処理方式が、前記チャネルのタイプに少なくとも部分的に基づいて識別される、請求項85に記載の装置。
【請求項９６】
前記チャネルのタイプが、マルチキャスト制御チャネルまたはマルチキャストトラフィックチャネルである、請求項85に記載の装置。
【請求項９７】
ワイヤレス通信のための命令を記憶する非一時的コンピュータ可読記憶媒体であって、前記命令が、
デバイスの1つまたは複数のプロセッサによって実行されたとき、前記1つまたは複数のプロセッサに、
ユーザ機器のタイプに少なくとも部分的に基づいて識別される処理方式を使用して処理された、セルのチャネルを基地局から受信させる1つまたは複数の命令を備え、
前記処理方式が、第1のタイプのユーザ機器によって処理可能かつ第2のタイプのユーザ機器によって処理不可能である第1の処理方式、または前記第1のタイプのユーザ機器および前記第2のタイプのユーザ機器によって処理可能である第2の処理方式から識別され、
前記処理方式が、前記チャネルに適用されるスクランブリングシーケンスまたは回転シーケンスに関係する、
非一時的コンピュータ可読記憶媒体。
【請求項９８】
前記1つまたは複数の命令が、前記1つまたは複数のプロセッサによって実行されたとき、さらに前記1つまたは複数のプロセッサに、
前記ユーザ機器の前記タイプを示すための能力指示を、前記セルに関連付けられた基地局へ送信させる、
請求項97に記載の非一時的コンピュータ可読記憶媒体。
【請求項９９】
前記能力指示が、前記ユーザ機器のリリースバージョンを識別する、請求項98に記載の非一時的コンピュータ可読記憶媒体。
【請求項１００】
前記処理方式に対応する処理方式指示が、前記基地局から受信される、請求項97に記載の非一時的コンピュータ可読記憶媒体。
【請求項１０１】
前記処理方式指示が、無線リソース制御再構成メッセージの中で受信される、請求項100に記載の非一時的コンピュータ可読記憶媒体。
【請求項１０２】
前記処理方式指示が、システム情報ブロックの中で受信される、請求項100に記載の非一時的コンピュータ可読記憶媒体。
【請求項１０３】
前記1つまたは複数の命令が、前記1つまたは複数のプロセッサによって実行されたとき、さらに前記1つまたは複数のプロセッサに、構成メッセージまたは能力メッセージを送信させる、請求項97に記載の非一時的コンピュータ可読記憶媒体。
【請求項１０４】
前記処理方式が、キャリアのタイプに少なくとも部分的に基づいて識別され、
前記キャリアの前記タイプが、前記第1のタイプのユーザ機器に関連し前記第2のタイプのユーザ機器には関連しないか、または前記第1のタイプのユーザ機器および前記第2のタイプのユーザ機器に関連する、
請求項97に記載の非一時的コンピュータ可読記憶媒体。
【請求項１０５】
前記キャリアの前記タイプがページング用またはランダムアクセス用の非アンカーキャリアである、請求項104に記載の非一時的コンピュータ可読記憶媒体。
【請求項１０６】
前記1つまたは複数の命令が、前記1つまたは複数のプロセッサによって実行されたとき、さらに前記1つまたは複数のプロセッサに、前記キャリアに対する処理方式指示を受信させる、請求項104に記載の非一時的コンピュータ可読記憶媒体。
【請求項１０７】
前記処理方式が、前記チャネルのタイプに少なくとも部分的に基づいて識別される、請求項97に記載の非一時的コンピュータ可読記憶媒体。
【請求項１０８】
前記チャネルのタイプが、マルチキャスト制御チャネルまたはマルチキャストトラフィックチャネルである、請求項97に記載の非一時的コンピュータ可読記憶媒体。
【発明の詳細な説明】
【技術分野】
【０００１】
本開示の態様は、一般に、ワイヤレス通信に関し、より詳細には、チャネル処理の後方互換性のための技法および装置に関する。
【背景技術】
【０００２】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソース(たとえば、帯域幅、送信電力など)を共有することによって複数のユーザとの通信をサポートできる、多元接続技術を採用し得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、ロングタームエボリューション(LTE)を含む。LTE/LTEアドバンストは、第3世代パートナーシッププロジェクト(3GPP)によって公表されたユニバーサル移動電気通信システム(UMTS)モバイル規格に対する拡張のセットである。
【０００３】
ワイヤレス通信ネットワークは、いくつかのユーザ機器(UE:User Equipment)のための通信をサポートできるいくつかの基地局(BS:Base Station)を含んでよい。UEは、ダウンリンクおよびアップリンクを介してBSと通信し得る。ダウンリンク(または、順方向リンク)とは、BSからUEへの通信リンクを指し、アップリンク(または、逆方向リンク)とは、UEからBSへの通信リンクを指す。本明細書でより詳細に説明するように、BSは、ノードB、gNB、アクセスポイント(AP:Access Point)、ラジオヘッド、送信受信ポイント(TRP:Transmit Receive Point)、ニューラジオ(NR:New Radio)BS、5GノードBなどと呼ばれることがある。
【０００４】
上記の多元接続技術は、異なるワイヤレス通信デバイスが都市、国家、地域、さらには地球規模で通信することを可能にする共通プロトコルを提供するために、様々な電気通信規格において採用されている。ニューラジオ(NR)は、5Gと呼ばれることもあり、第3世代パートナーシッププロジェクト(3GPP)によって公表されたLTEモバイル規格に対する拡張のセットである。NRは、スペクトル効率を改善すること、コストを削減すること、サービスを改善すること、新たなスペクトルを利用すること、ならびにダウンリンク(DL)上でサイクリックプレフィックス(CP:Cyclic Prefix)付きOFDM(CP-OFDM)を使用し、アップリンク(UL)上でCP-OFDMおよび/または(たとえば、離散フーリエ変換拡散ODFM(DFT-s-OFDM:Discrete Fourier Transform spread ODFM)とも呼ばれる)SC-FDMを使用し、かつビームフォーミング、多入力多出力(MIMO)アンテナ技術、およびキャリアアグリゲーションをサポートする、他のオープン規格とより良好に統合することによって、モバイルブロードバンドインターネットアクセスをより良好にサポートするように設計されている。しかしながら、モバイルブロードバンドアクセスに対する需要が増大し続けるにつれて、LTE技術およびNR技術におけるさらなる改善が必要である。好ましくは、これらの改善は、他の多元接続技術、およびこれらの技術を採用する電気通信規格に適用可能であるべきである。
【０００５】
BSは、情報をUEに提供するために、制御チャネルなどのチャネルを送信し得る。たとえば、BSは、モノのインターネット(IoT)タイプのUEにサービスを提供するために、狭帯域物理ダウンリンク制御チャネル(NPDCCH:Narrowband Physical Downlink Control CHannel)を送信し得る。制御チャネルは、特定の処理方式を使用して処理され得る。たとえば、BSは、NPDCCHの反復にスクランブリングシーケンスを適用することに少なくとも部分的に基づいて、NPDCCHをスクランブルし得る。この場合、BSは、複数の連続する送信の各々に対して同じスクランブリングシーケンスを使用して、NPDCCHのサブフレームの複数の連続する送信にわたってシンボルを反復し得る。しかしながら、干渉制限されたシナリオでは、第1のセルの第1のシンボルの反復は、第2のセルの第2のシンボルの反復と干渉することがある。第1のセルの第1のシンボルを受信すべきUEは、たとえば、平均化技法またはシンボル合成技法を使用して、第2のセルによって送信される第2のシンボルの干渉を克服できないことがある。
【先行技術文献】
【非特許文献】
【０００６】
【非特許文献１】「Evolved Universal Terrestrial Radio Access (E-UTRA); Physical Channels and Modulation」、3GPP TS36.211
【発明の概要】
【発明が解決しようとする課題】
【０００７】
本明細書で説明する態様は、干渉制限されたシナリオにおいて、それによって制御チャネルなどのチャネルをBSが送信し得るとともにUEが受信し得るメカニズムを提供する。制御チャネルのビットのセットのためのスクランブリングシーケンスを再初期化すること、制御チャネルのビットごとにスクランブリングシーケンスを再初期化すること、制御チャネルのシンボルに回転シーケンスを適用すること、またはそれらの組合せなどの、制御チャネルの処理のための他の技法を利用すべきであると見なされている。このようにして、BSは、別の制御チャネルとの制御チャネルの干渉を補償するために、干渉がランダム化された制御チャネルを提供し得、UEは、干渉がランダム化された制御チャネルを受信し得、制御チャネルのデータを復元し得る。しかしながら、第1のタイプのUEは、干渉がランダム化された制御チャネルを受信し、制御チャネルに適用された処理方式を逆転させるように構成され得るが、第2のタイプのUE(たとえば、レガシーUE)は、制御チャネルに適用された処理方式を逆転させることができない場合があり、そのことは、第2のタイプのUEを含むネットワークにおいて劣悪なネットワーク性能をもたらすことがある。したがって、BSが第2のタイプのUEに後方互換性を提供することは有益であり得る。
【０００８】
本明細書で説明する態様は、干渉ランダム化処理方式用に構成されている第1のタイプのUEと、干渉ランダム化処理方式用に構成されていない第2のタイプのUEの両方による、制御チャネルの送信および受信を可能にし得る。BSは、セルに関連付けられたUEのタイプを識別し得る。たとえば、BSは、第1のタイプのUEがセルの中で動作中であること、第2のタイプのUEがセルの中で動作中であること、またはそれらの組合せを決定し得る。セルに関連付けられたUEのタイプに少なくとも部分的に基づいて、BSは、第2のタイプのUEがネットワークの中で動作中であるときに干渉ランダム化を導入しないレガシー処理方式を適用すること、第1のタイプのUEがネットワークの中で動作中であるときに干渉ランダム化処理方式を適用すること、またはそれらの組合せなどの処理方式を、制御チャネルに適用し得る。このことは、UEが、制御チャネルに適用された処理方式を逆転させて制御チャネルのデータを復元できることを確実にし得る。
【課題を解決するための手段】
【０００９】
本開示の一態様では、方法、デバイス、装置、およびコンピュータプログラム製品が提供される。
【００１０】
いくつかの態様では、方法は、セルに関連付けられたユーザ機器から能力指示を基地局によって受信することを含んでよい。方法は、能力指示に少なくとも部分的に基づいて、セルのチャネル用の処理方式を基地局によって識別することを含んでよい。能力指示は、セルに関連付けられたユーザ機器のタイプを識別し得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。方法は、処理方式を識別することに少なくとも部分的に基づく処理方式を使用して処理されたチャネルを、基地局によって送信することを含んでよい。
【００１１】
いくつかの態様では、デバイスは、メモリと、メモリに結合された1つまたは複数のプロセッサとを含んでよい。メモリおよび1つまたは複数のプロセッサは、セルに関連付けられたユーザ機器から能力指示を受信するように構成され得る。メモリおよび1つまたは複数のプロセッサは、能力指示に少なくとも部分的に基づいて、セルのチャネル用の処理方式を識別するように構成され得る。能力指示は、セルに関連付けられたユーザ機器のタイプを識別し得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。メモリおよび1つまたは複数のプロセッサは、処理方式を識別することに少なくとも部分的に基づく処理方式を使用して処理されたチャネルを送信するように構成され得る。
【００１２】
いくつかの態様では、装置は、セルに関連付けられたユーザ機器から能力指示を受信するための手段を含んでよい。装置は、能力指示に少なくとも部分的に基づいて、セルのチャネル用の処理方式を識別するための手段を含んでよい。能力指示は、セルに関連付けられたユーザ機器のタイプを識別し得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。装置は、処理方式を識別することに少なくとも部分的に基づく処理方式を使用して処理されたチャネルを送信するための手段を含んでよい。
【００１３】
いくつかの態様では、コンピュータプログラム製品は、デバイスの1つまたは複数のプロセッサによって実行されたとき、1つまたは複数のプロセッサに、セルに関連付けられたユーザ機器から能力指示を受信させる、ワイヤレス通信のための1つまたは複数の命令を記憶する非一時的コンピュータ可読媒体を含んでよい。1つまたは複数の命令は、1つまたは複数のプロセッサによって実行されたとき、1つまたは複数のプロセッサに、能力指示に少なくとも部分的に基づいて、セルのチャネル用の処理方式を識別させ得る。能力指示は、セルに関連付けられたユーザ機器のタイプを識別し得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。1つまたは複数の命令は、1つまたは複数のプロセッサによって実行されたとき、1つまたは複数のプロセッサに、処理方式を識別することに少なくとも部分的に基づく処理方式を使用して処理されたチャネルを送信させ得る。
【００１４】
いくつかの態様では、方法は、セルに関連付けられた基地局へ能力指示をユーザ機器によって送信することを含んでよい。能力指示は、ユーザ機器のタイプを識別し得る。方法は、能力指示に少なくとも部分的に基づいて識別される処理方式を使用して処理された、セルのチャネルをユーザ機器によって受信することを含んでよい。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。
【００１５】
いくつかの態様では、デバイスは、メモリと、メモリに結合された1つまたは複数のプロセッサとを含んでよい。メモリおよび1つまたは複数のプロセッサは、セルに関連付けられた基地局へ能力指示を送信するように構成され得る。能力指示は、ユーザ機器のタイプを識別し得る。メモリおよび1つまたは複数のプロセッサは、能力指示に少なくとも部分的に基づいて識別される処理方式を使用して処理された、セルのチャネルを受信するように構成され得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。
【００１６】
いくつかの態様では、コンピュータプログラム製品は、デバイスの1つまたは複数のプロセッサによって実行されたとき、1つまたは複数のプロセッサに、セルに関連付けられた基地局へ能力指示を送信させる、ワイヤレス通信のための1つまたは複数の命令を記憶する非一時的コンピュータ可読媒体を含んでよい。能力指示は、ユーザ機器のタイプを識別し得る。1つまたは複数の命令は、1つまたは複数のプロセッサによって実行されたとき、1つまたは複数のプロセッサに、能力指示に少なくとも部分的に基づいて識別される処理方式を使用して処理された、セルのチャネルを受信させ得る。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。
【００１７】
いくつかの態様では、装置は、セルに関連付けられた基地局へ能力指示を送信するための手段を含んでよい。能力指示は、ユーザ機器のタイプを識別し得る。装置は、能力指示に少なくとも部分的に基づいて識別される処理方式を使用して処理された、セルのチャネルを受信するための手段を含んでよい。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。
【００１８】
態様は、概して、添付図面および本明細書を参照しながら実質的に本明細書で説明するような、また添付図面および本明細書によって示すような、方法、装置、システム、コンピュータプログラム製品、非一時的コンピュータ可読媒体、ユーザ機器、基地局、ワイヤレス通信デバイス、アクセスポイント、および処理システムを含む。
【００１９】
上記は、以下の詳細な説明がよりよく理解され得るように、本開示による例の特徴および技術的利点をかなり広範に概説している。追加の特徴および利点が以下で説明される。開示する概念および具体例は、本開示の同じ目的を実行するために他の構造を修正または設計するための基礎として容易に利用され得る。そのような均等な構成は、添付の特許請求の範囲から逸脱しない。本明細書で開示する概念の特性、それらの編成と動作方法の両方が、関連する利点とともに、添付の図に関して検討されると以下の説明からよりよく理解されよう。図の各々は、例示および説明のために提供され、特許請求の範囲の限定の定義として提供されるものでない。
【図面の簡単な説明】
【００２０】
【図１】ワイヤレス通信ネットワークの一例を示す図である。
【図２】ワイヤレス通信ネットワークにおいて基地局(BS)がユーザ機器(UE)と通信している一例を示す図である。
【図３】ワイヤレス通信ネットワークにおけるフレーム構造の一例を示す図である。
【図４】ノーマルサイクリックプレフィックスを有する2つの例示的なサブフレームフォーマットを示す図である。
【図５Ａ】チャネル処理の後方互換性の一例を示す図である。
【図５Ｂ】チャネル処理の後方互換性の一例を示す図である。
【図５Ｃ】チャネル処理の後方互換性の一例を示す図である。
【図６】ワイヤレス通信の方法のフローチャートである。
【図７】例示的な装置の中の異なるモジュール/手段/構成要素の間のデータフローを示す概念的なデータフロー図である。
【図８】処理システムを採用する装置のためのハードウェア実装形態の一例を示す図である。
【図９】ワイヤレス通信の方法のフローチャートである。
【図１０】例示的な装置の中の異なるモジュール/手段/構成要素の間のデータフローを示す概念的なデータフロー図である。
【図１１】処理システムを採用する装置のためのハードウェア実装形態の一例を示す図である。
【発明を実施するための形態】
【００２１】
添付の図面に関して以下に記載する詳細な説明は、様々な構成の説明として意図されており、本明細書で説明する概念が実践され得る構成を表すことは意図されていない。詳細な説明は、様々な概念の完全な理解を与えるための具体的な詳細を含む。しかしながら、これらの概念がこれらの具体的な詳細なしに実践され得ることが、当業者には明らかであろう。いくつかの事例では、そのような概念を不明瞭にすることを避けるために、よく知られている構造および構成要素がブロック図の形態で示される。
【００２２】
電気通信システムのいくつかの態様が、ここで様々な装置および方法を参照しながら提示される。これらの装置および方法は、以下の発明を実施するための形態において説明され、様々なブロック、モジュール、構成要素、回路、ステップ、プロセス、アルゴリズムなど(「要素」と総称される)によって添付図面に示される。これらの要素は、電子ハードウェア、コンピュータソフトウェア、またはそれらの任意の組合せを使用して実装され得る。そのような要素がハードウェアとして実装されるのかそれともソフトウェアとして実装されるのかは、特定の適用例および全体的なシステムに課される設計制約に依存する。
【００２３】
例として、要素、または要素の任意の部分、または要素の任意の組合せは、1つまたは複数のプロセッサを含む「処理システム」を用いて実装され得る。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。処理システムの中の1つまたは複数のプロセッサは、ソフトウェアを実行し得る。ソフトウェアは、ソフトウェア、ファームウェア、ミドルウェア、マイクロコード、ハードウェア記述言語などと呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。
【００２４】
したがって、1つまたは複数の例示的な実施形態では、説明する機能は、ハードウェア、ソフトウェア、ファームウェア、またはそれらの任意の組合せで実装され得る。ソフトウェアで実装される場合、機能は、1つまたは複数の命令またはコードとして、コンピュータ可読媒体上に記憶されてよく、または符号化されてよい。コンピュータ可読媒体は、コンピュータ記憶媒体を含む。記憶媒体は、コンピュータによってアクセスされ得る任意の利用可能な媒体であってよい。限定ではなく例として、そのようなコンピュータ可読媒体は、ランダムアクセスメモリ(RAM)、読取り専用メモリ(ROM)、電気的消去可能プログラマブルROM(EEPROM)、コンパクトディスクROM(CD-ROM)もしくは他の光ディスクストレージ、磁気ディスクストレージもしくは他の磁気記憶デバイス、上述のタイプのコンピュータ可読媒体の組合せ、またはコンピュータによってアクセスされ得る命令もしくはデータ構造の形態でコンピュータ実行可能コードを記憶するために使用され得る任意の他の媒体を備えることができる。
【００２５】
アクセスポイント(AP)は、ノードB、無線ネットワークコントローラ(「RNC:Radio Network Controller」)、eノードB(eNB:eNodeB)、基地局コントローラ(BSC:Base Station Controller)、トランシーバ基地局(「BTS:Base Transceiver Station」)、基地局(BS)、トランシーバ機能(TF:Transceiver Function)、無線ルータ、無線トランシーバ、基本サービスセット(BSS:Basic Service Set)、拡張サービスセット(ESS:Extended Service Set)、無線基地局(RBS:Radio Base Station)、ノードB(NB:Node B)、gNB、5G NB、NR BS、送信受信ポイント(TRP)、または何らかの他の用語を備えてよく、それらとして実装されてよく、またはそのように呼ばれることがある。
【００２６】
アクセス端末(AT:Access Terminal)は、アクセス端末、加入者局、加入者ユニット、移動局、リモート局、リモート端末、ユーザ端末、ユーザエージェント、ユーザデバイス、ユーザ機器(UE)、ユーザ局、ワイヤレスノード、または何らかの他の用語を備えてよく、それらとして実装されてよく、またはそのように呼ばれることがある。いくつかの態様では、アクセス端末は、セルラー電話、スマートフォン、コードレス電話、セッション開始プロトコル(SIP:Session Initiation Protocol)フォン、ワイヤレスローカルループ(WLL)局、携帯情報端末(PDA)、タブレット、ネットブック、スマートブック、ウルトラブック、ワイヤレス接続機能を有するハンドヘルドデバイス、局(STA)、または、ワイヤレスモデムに接続されたいくつかの他の好適な処理デバイスを備えてよい。したがって、本明細書で教示する1つまたは複数の態様は、電話(たとえば、セルラーフォン、スマートフォン)、コンピュータ(たとえば、デスクトップ)、ポータブル通信デバイス、ポータブルコンピューティングデバイス(たとえば、ラップトップ、携帯情報端末、タブレット、ネットブック、スマートブック、ウルトラブック)、ウェアラブルデバイス(たとえば、スマートウォッチ、スマートグラス、スマートブレスレット、スマートリストバンド、スマートリング、スマートクロージングなど)、医療デバイスもしくは機器、生体センサー/デバイス、エンターテインメントデバイス(たとえば、音楽デバイス、ビデオデバイス、衛星ラジオ、ゲームデバイスなど)、車両構成要素もしくはセンサー、スマートメーター/センサー、産業用製造機器、全地球測位システムデバイス、またはワイヤレス媒体もしくは有線媒体を介して通信するように構成されている任意の他の好適なデバイスの中に組み込まれてよい。いくつかの態様では、ノードはワイヤレスノードである。ワイヤレスノードは、たとえば、有線通信リンクまたはワイヤレス通信リンクを介して、ネットワーク(たとえば、インターネットまたはセルラーネットワークなどのワイドエリアネットワーク)のための接続性、またはネットワークへの接続性を提供し得る。いくつかのUEは、マシンタイプ通信(MTC:Machine-Type Communication)UEと見な
されてよく、MTC UEは、基地局、別のリモートデバイス、またはいくつかの他のエンティティと通信し得るリモートデバイスを含んでよい。マシンタイプ通信(MTC)とは、通信の少なくとも一端上の少なくとも1つのリモートデバイスを伴う通信を指すことがあり、必ずしも人間の対話を必要とするとは限らない1つまたは複数のエンティティを伴うデータ通信の形態を含んでよい。MTC UEは、たとえば、パブリックランドモバイルネットワーク(PLMN)を通じてMTCサーバおよび/または他のMTCデバイスとのMTC通信が可能なUEを含んでよい。MTCデバイスの例は、センサー、メーター、ロケーションタグ、モニタ、ドローン、ロボット/ロボティックデバイスなどを含む。MTC UE、ならびに他のタイプのUEは、NB-IoT(狭帯域モノのインターネット)デバイスとして実装されてよい。
【００２７】
本明細書では3Gおよび/または4Gワイヤレス技術に一般的に関連する用語を使用して態様が説明されることがあるが、本開示の態様が、NR技術を含む、5G以降などの他世代ベースの通信システムにおいて適用され得ることに留意されたい。
【００２８】
図1は、本開示の態様が実践され得るネットワーク100を示す図である。ネットワーク100は、LTEネットワーク、または5GもしくはNRネットワークなどのいくつかの他のワイヤレスネットワークであってよい。ワイヤレスネットワーク100は、いくつかのBS110(BS110a、BS110b、BS110c、およびBS110dとして図示される)、および他のネットワークエンティティを含んでよい。BSとは、ユーザ機器(UE)と通信するエンティティであり、基地局、NR BS、ノードB、gNB、5G NB、アクセスポイント、TRPなどと呼ばれることもある。各BSは、特定の地理的エリアに通信カバレージを提供し得る。3GPPでは、「セル」という用語は、その用語が使用されるコンテキストに応じて、BSのカバレージエリア、および/またはこのカバレージエリアをサービスしているBSサブシステムを指すことができる。
【００２９】
BSは、マクロセル、ピコセル、フェムトセル、および/または別のタイプのセルのための通信カバレージを提供し得る。マクロセルは、比較的大きい地理的エリア(たとえば、半径数キロメートル)をカバーし得、サービスに加入しているUEによる無制限アクセスを可能にし得る。ピコセルは、比較的小さい地理的エリアをカバーし得、サービスに加入しているUEによる無制限アクセスを可能にし得る。フェムトセルは、比較的小さい地理的エリア(たとえば、自宅)をカバーし得、フェムトセルとの関連付けを有するUE(たとえば、限定加入者グループ(CSG:Closed Subscriber Group)の中のUE)による制限付きアクセスを可能にし得る。マクロセル用のBSは、マクロBSと呼ばれることがある。ピコセル用のBSは、ピコBSと呼ばれることがある。フェムトセル用のBSは、フェムトBSまたはホームBSと呼ばれることがある。図1に示す例では、BS110aは、マクロセル102a用のマクロBSであってよく、BS110bは、ピコセル102b用のピコBSであってよく、BS110cは、フェムトセル102c用のフェムトBSであってよい。BSは、1つまたは複数(たとえば、3つ)のセルをサポートし得る。「eNB」、「基地局」、「NR BS」、「gNB」、「TRP」、「AP」、「ノードB」、「5G NB」、および「セル」という用語は、本明細書で互換的に使用されることがある。
【００３０】
いくつかの例では、セルは、必ずしも静止しているとは限らないことがあり、セルの地理的エリアは、モバイルBSのロケーションに従って移動することがある。いくつかの例では、BSは、任意の好適なトランスポートネットワークを使用して、直接物理接続、仮想ネットワークなどの、様々なタイプのバックホールインターフェースを通じて、アクセスネットワーク100の中で互いにかつ/または1つもしくは複数の他のBSもしくはネットワークノード(図示せず)に相互接続されてよい。
【００３１】
ワイヤレスネットワーク100はまた、中継局を含んでよい。中継局とは、上流局(たとえば、BSまたはUE)からデータの送信を受信することができ、かつデータの送信を下流局(たとえば、UEまたはBS)へ送ることができる、エンティティである。中継局はまた、他のUEのための送信を中継できるUEであってもよい。図1に示す例では、中継局110dは、BS110aとUE120dとの間の通信を容易にするために、マクロBS110aおよびUE120dと通信し得る。中継局は、中継BS、中継基地局、リレーなどと呼ばれることもある。
【００３２】
ワイヤレスネットワーク100は、異なるタイプのBS、たとえば、マクロBS、ピコBS、フェムトBS、中継BSなどを含む、異種ネットワークであってよい。これらの異なるタイプのBSは、ワイヤレスネットワーク100において、異なる送信電力レベル、異なるカバレージエリア、および干渉に対する異なる影響を有することがある。たとえば、マクロBSは、高い送信電力レベル(たとえば、5〜40ワット)を有してよく、ピコBS、フェムトBS、および中継BSは、もっと低い送信電力レベル(たとえば、0.1〜2ワット)を有してよい。
【００３３】
ネットワークコントローラ130は、BSのセットに結合してよく、これらのBSのための協働および制御を行ってよい。ネットワークコントローラ130は、バックホールを経由してBSと通信し得る。BSはまた、たとえば、ワイヤレスまたはワイヤラインのバックホールを介して、直接または間接的に互いに通信し得る。いくつかの態様では、ネットワークコントローラ130は、制御チャネルなどのチャネル用の処理方式として使用されるべきスクランブリングシーケンスまたは回転シーケンスを決定するために、BSと通信し得る。たとえば、ネットワークコントローラ130は、第1のBSによって提供される第1の制御チャネルおよび第2のBSによって提供される第2の制御チャネルに対して干渉ランダム化を導入するために、第1のBSに関連付けられた第1のセルが第1のスクランブリングシーケンスを使用すべきであること、および第2のBSに関連付けられた第2のセルが第2のスクランブリングシーケンスを使用すべきであることを決定し得る。追加または代替として、ネットワークコントローラ130は、BSが、第1の制御チャネルおよび第2の制御チャネルに対して干渉ランダム化を導入するために、位相回転のセットを実行すべきであることを決定し得る。いくつかの態様では、ネットワークコントローラ130は、制御チャネルに適用すべき処理方式を決定するために、BSと通信し得る。たとえば、レガシータイプのUEがセルの中で動作中であることを識別することに少なくとも部分的に基づいて、ネットワークコントローラ130は、レガシータイプのUEに後方互換性を提供するために、BSに制御チャネルの少なくとも一部分に対してレガシー処理方式を使用させ得る。追加または代替として、非レガシータイプのUEがセルの中で動作中であることを識別することに少なくとも部分的に基づいて、ネットワークコントローラ130は、BSに制御チャネルの少なくとも一部分に対して非レガシー処理方式を使用させて制御チャネルに干渉ランダム化を導入して、干渉制限されたシナリオを補償し得る。
【００３４】
UE120(たとえば、120a、120b、120c)はワイヤレスネットワーク100全体にわたって分散されてよく、各UEは固定またはモバイルであってよい。UEは、アクセス端末、端末、移動局、加入者ユニット、局などと呼ばれることもある。UEは、セルラーフォン(たとえば、UE120bおよび/または120dなどのスマートフォン)、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは機器、(たとえば、UE120cなどの)生体センサー/デバイス、ウェアラブルデバイス(スマートウォッチ、スマートクロージング、スマートグラス、スマートリストバンド、スマートジュエリー(たとえば、スマートリング、スマートブレスレット))、エンターテインメントデバイス(たとえば、音楽デバイスもしくはビデオデバイス、または衛星ラジオ)、車両構成要素もしくはセンサー、スマートメーター/センサー、産業用製造機器、全地球測位システムデバイス、スマートホームデバイス(たとえば、UE120aなどの、スマートアプライアンス、スマート電球)、またはワイヤレス媒体もしくは有線媒体を介して通信するように構成されている任意の他の好適なデバイスであってよい。いくつかのUEは、発展型または拡張マシンタイプ通信(eMTC:evolved or enhanced Machine-Type Communication)UEと見なされてよい。MTC UEおよびeMTC UEは、たとえば、基地局、別のデバイス(たとえば、リモートデバイス)、またはいくつかの他のエンティティと通信し得る、ロボット、ドローン、センサー、メーター、モニタ、ロケーションタグなどのリモートデバイスなどを含む。ワイヤレスノードは、たとえば、有線通信リンクまたはワイヤレス通信リンクを介して、ネットワーク(たとえば、インターネットまたはセルラーネットワークなどのワイドエリアネットワーク)のための接続性、またはネットワークへの接続性を提供し得る。いくつかのUEは、モノのインターネット(IoT)デバイスと見なされてよい。いくつかのUEは、顧客構内機器(CPE:Customer Premises Equipment)と見なされてよい。いくつかの態様では、UE120などのUEは、第1のタイプのUEもしくは第2のタイプのUE、(たとえば、3GPPリリース13 UE、またはそれ以前のバージョンのUEであってよい)レガシーUE、または(たとえば、3GPPリリース14 UE、またはそれ以降のバージョンのUEであってよい)非レガシーUEなどの、特定のタイプのUEとして分類され得る。第1のUEおよび第2のUE、レガシーUE、ならびに非レガシーUE、3GPPリリース13またはそれ以前のUE、および3GPPリリース14またはそれ以降のUEなどに関して、本明細書で態様が説明されるが、互換性のあるUEおよび互換性のないUE、更新済みのUEおよび未更新のUEなどの、UEの他の分類が可能である。
【００３５】
図1において、両矢印を有する実線は、UEとサービングBSとの間の候補の送信を示し、サービングBSとは、ダウンリンクおよび/またはアップリンク上でUEにサービスするように指定されたBSである。両矢印を有する破線は、UEとBSとの間の潜在的に干渉する送信を示す。たとえば、マクロBS110aがピコBS110bと同期的に動作しており、マクロBS110aからUE120aへの制御チャネルの送信がピコBS110bからUE120bへの制御チャネルの送信と干渉する結果となるとき、干渉制限されたシナリオが発生することがある。同様に、フェムトBS110cの制御チャネル送信がUE120cへのマクロBS110aの制御チャネル送信と干渉するとき、干渉制限されたシナリオが発生することがある。いくつかの態様では、マクロBS110aおよびピコBS110bなどのBSは、レガシーUEが制御チャネルを受信するとともに制御チャネルによって伝達される情報を決定するための後方互換性を提供するために、レガシーUEがセルの中で動作中であるときなどに、第1の処理方式を使用して処理されているビットを有するそれぞれの制御チャネルを送信し得る。追加または代替として、BSは、干渉を低減するために、かつUE120bなどの非レガシーUEが制御チャネルを受信するとともに制御チャネルによって伝達される情報を決定することを可能にするために、非レガシーUEがセルの中で動作中であるときなどに、第2の処理方式を使用して処理されているビットを有するそれぞれの制御チャネルを送信し得る。
【００３６】
一般に、任意の数のワイヤレスネットワークが、所与の地理的エリアの中に展開され得る。各ワイヤレスネットワークは、特定のRATをサポートしてよく、1つまたは複数の周波数上で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアの中で単一のRATをサポートしてよい。場合によっては、NR RATネットワークまたは5G RATネットワークが展開されてよい。
【００３７】
いくつかの例では、エアインターフェースへのアクセスがスケジュールされてよく、スケジューリングエンティティ(たとえば、基地局、ネットワークコントローラ、ユーザ機器など)が、スケジューリングエンティティのサービスエリアまたはセル内の一部または全部のデバイスおよび機器の間で通信用のリソースを割り振る。本開示内で、以下でさらに説明するように、スケジューリングエンティティは、1つまたは複数の従属エンティティのためのリソースのスケジューリング、割当て、再構成、および解放を担当し得る。すなわち、スケジュールされた通信のために、従属エンティティは、スケジューリングエンティティによって割り振られたリソースを利用する。たとえば、スケジューリングエンティティは、BSからUEへの、狭帯域物理ブロードキャストチャネル(NB-PBCH:NarrowBand Physical Broadcast CHannel)、狭帯域物理ダウンリンク制御チャネル(NPDCCH)、物理ダウンリンク共有チャネル(PDSCH:Physical Downlink Shared CHannel)などのチャネルの送信をスケジュールし得る。いくつかの態様では、そのようなスケジューリング情報は、スケジューリングエンティティからのシグナリングを介して通信され得る。たとえば、UEは、制御チャネルに対するリソース割振り、制御チャネルに適用されるべき処理方式、制御チャネルに適用されるべきスクランブリングシーケンスのセット、制御チャネルに適用されるべき位相回転、クロスサブフレームコーディング(たとえば、チャネルがチャネルの部分の反復を用いずに処理される)などを識別する、システム情報ブロック(SIB:System Information Block)メッセージ、無線リソース制御(RRC:Radio Resource Control)再構成メッセージなどを受信し得る。
【００３８】
基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能してよい。この例では、UEは、スケジューリングエンティティとして機能しており、他のUEは、ワイヤレス通信のためにUEによってスケジュールされたリソースを利用する。UEは、ピアツーピア(P2P)ネットワークの中および/またはメッシュネットワークの中で、スケジューリングエンティティとして機能し得る。メッシュネットワーク例では、UEは、スケジューリングエンティティと通信することに加えて、随意に互いに直接通信し得る。
【００３９】
したがって、時間-周波数リソースへのスケジュール型アクセスを伴い、かつセルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００４０】
上記のように、図1は一例として提供されるにすぎない。他の例が可能であり、図1に関して説明されたものとは異なってよい。
【００４１】
図2は、図1における基地局のうちの1つおよびUEのうちの1つであってよい基地局110およびUE120の設計のブロック図200を示す。基地局110はT個のアンテナ234a〜234tが装備されてよく、UE120はR個のアンテナ252a〜252rが装備されてよく、ただし、一般にT≧1かつR≧1である。
【００４２】
基地局110において、送信プロセッサ220は、1つまたは複数のUEのためのデータをデータソース212から受け取ってよく、UEから受信されたチャネル品質インジケータ(CQI:Channel Quality Indicator)に少なくとも部分的に基づいてUEごとに1つまたは複数の変調およびコーディング方式(MCS:Modulation and Coding Scheme)を選択してよく、UEのために選択されたMCSに少なくとも部分的に基づいてUEごとにデータを処理(たとえば、符号化および変調)してよく、データシンボルをすべてのUEに提供してよい。送信プロセッサ220はまた、(たとえば、半静的リソース区分情報(SRPI:Semi-static Resource Partitioning Information)などのための)システム情報、および制御情報(たとえば、CQI要求、許可、上位レイヤシグナリングなど)を処理し得、オーバーヘッドシンボルおよび制御シンボルを提供し得る。送信プロセッサ220はまた、基準信号(たとえば、CRS)および同期信号(たとえば、1次同期信号(PSS:Primary Synchronization Signal)および2次同期信号(SSS:Secondary Synchronization Signal))用の基準シンボルを生成し得る。送信(TX)多入力多出力(MIMO)プロセッサ230は、適用可能な場合、データシンボル、制御シンボル、オーバーヘッドシンボル、および/または基準シンボルに対して空間処理(たとえば、プリコーディング)を実行し得、T個の出力シンボルストリームをT個の変調器(MOD)232a〜232tに提供し得る。各変調器232は、それぞれの出力シンボルストリームを(たとえば、OFDM用などに)処理して出力サンプルストリームを取得し得る。各変調器232は、出力サンプルストリームをさらに処理(たとえば、アナログに変換、増幅、フィルタ処理、およびアップコンバート)して、ダウンリンク信号を取得し得る。各変調器232、および/または送信プロセッサ220、TX MIMOプロセッサ230、コントローラ/プロセッサ240などの別の構成要素は、制御チャネル(たとえば、QPSKシンボル)の被変調シンボル(たとえば、IQシンボル)をさらに処理して、制御チャネル用の処理方式を識別することに少なくとも部分的に基づいて、かつ/またはセル識別情報(セルIDまたはCID)などのセル識別子に少なくとも部分的に基づいて、被変調シンボルに位相回転またはスクランブリングシーケンスを適用し得る。いくつかの態様では、各変調器232、および/または送信プロセッサ220、TX MIMOプロセッサ230、コントローラ/プロセッサ240などの別の構成要素は、制御チャネルの被変調シンボルをさらに処理して、第1の処理ステージ(たとえば、スクランブリングシーケンスのセットが、ブロックのセットに適用される)、第2の処理ステージ(たとえば、スクランブリングシーケンスのセットが、各ブロックのビットの反復するサブセットの反復に適用される)などの複数の処理ステージを適用して干渉ランダム化を制御チャネルに導入して、干渉制限されたシナリオを補償し得る。変調器232a〜232tからのT個のダウンリンク信号は、それぞれ、T個のアンテナ234a〜234tを介して送信され得る。以下でより詳細に説明するいくつかの態様によれば、同期信号は、追加情報を伝達するための位置符号化を用いて生成され得る。
【００４３】
UE120において、アンテナ252a〜252rは、基地局110および/または他の基地局からダウンリンク信号を受信し得、それぞれ、受信信号を復調器(DEMOD)254a〜254rに提供し得る。各復調器254は、受信信号を調整(たとえば、フィルタ処理、増幅、ダウンコンバート、およびデジタル化)して入力サンプルを取得し得る。各復調器254は、入力サンプルを(たとえば、OFDM用などに)さらに処理して受信シンボルを取得し得る。各復調器254、および/またはMIMO検出器256、受信機プロセッサ258、コントローラ/プロセッサ280などの別の構成要素は、入力サンプルをさらに処理して、制御チャネルの中に含まれるビットの処理を逆転させ得る。MIMO検出器256は、すべてのR個の復調器254a〜254rから受信シンボルを取得し得、適用可能な場合、受信シンボルに対してMIMO検出を実行し得、検出されたシンボルを提供し得る。受信プロセッサ258は、検出されたシンボルを処理(たとえば、逆回転、復調、復号、およびデスクランブル)し得、UE120のための復号されたデータをデータシンク260に提供し得、復号された制御情報およびシステム情報をコントローラ/プロセッサ280に提供し得る。チャネルプロセッサは、基準信号受信電力(RSRP:Reference Signal Received Power)、受信信号強度インジケータ(RSSI:Received Signal Strength Indicator)、基準信号受信品質(RSRQ:Reference Signal Received Quality)、CQIなどを決定し得る。
【００４４】
アップリンク上では、UE120において、送信プロセッサ264は、データソース262からのデータ、およびコントローラ/プロセッサ280からの(たとえば、RSRP、RSSI、RSRQ、CQIなどを備える報告用の)制御情報を受け取ってよく、かつ処理し得る。送信プロセッサ264はまた、1つまたは複数の基準信号用の基準シンボルを生成し得る。送信プロセッサ264からのシンボルは、適用可能な場合、TX MIMOプロセッサ266によってプリコーディングされてよく、変調器254a〜254rによって(たとえば、DFT-s-OFDM用、CP-OFDM用などに)さらに処理されてよく、基地局110へ送信されてよい。基地局110において、UE120および他のUEからのアップリンク信号は、アンテナ234によって受信され、復調器232によって処理され、適用可能な場合、MIMO検出器236によって検出され、受信プロセッサ238によってさらに処理されて、UE120によって送られた復号されたデータおよび制御情報を取得し得る。受信プロセッサ238は、復号されたデータをデータシンク239に、かつ復号された制御情報をコントローラ/プロセッサ240に提供し得る。基地局110は、通信ユニット244を含んでよく、通信ユニット244を介してネットワークコントローラ130と通信し得る。ネットワークコントローラ130は、通信ユニット294、コントローラ/プロセッサ290、およびメモリ292を含んでよい。
【００４５】
コントローラ/プロセッサ240および280ならびに/または図2における任意の他の構成要素は、それぞれ、基地局110およびUE120における動作を導き得る。たとえば、基地局110のコントローラ/プロセッサ240、ならびに/または基地局110における他のプロセッサおよびモジュールは、UE120のタイプを識別する能力指示を受信し得、UE120のタイプに少なくとも部分的に基づいて処理方式を識別し得、処理方式を識別することに少なくとも部分的に基づく処理方式を使用して処理された制御チャネルを送信し得る。追加または代替として、コントローラ/プロセッサ280、ならびに/またはUE120における1つもしくは複数の他のプロセッサおよびモジュールは、UE120のタイプを識別する能力指示を送信し得、チャネル用の処理方式を識別する処理方式指示を受信し得、UE120のタイプに少なくとも部分的に基づいて識別される処理方式を使用して処理された、セルのチャネルを受信し得る。いくつかの態様では、図2に示す構成要素のうちの1つまたは複数は、図6の例示的な方法600、図9の例示的な方法900、および/または本明細書で説明する技法のための他のプロセスを実行するために採用され得る。メモリ242および282は、それぞれ、BS110およびUE120のための、データおよびプログラムコードを記憶し得る。スケジューラ246は、ダウンリンク上および/またはアップリンク上でのデータ送信に対してUEをスケジュールし得る。たとえば、スケジューラ246は、セルに関連付けられたUE120のタイプに少なくとも部分的に基づいて識別される処理方式を使用して処理された制御チャネルを送信するように、基地局110をスケジュールし得る。
【００４６】
上記のように、図2は一例として提供されるにすぎない。他の例が可能であり、図2に関して説明されたものとは異なってよい。
【００４７】
図3は、電気通信システム(たとえば、LTE)におけるFDDのための例示的なフレーム構造300を示す。ダウンリンクおよびアップリンクの各々に対する送信タイムラインは、無線フレームという単位に区分され得る。各無線フレームは、所定の持続時間(たとえば、10ミリ秒(ms))を有してよく、0〜9というインデックスを有する10個のサブフレームに区分され得る。各サブフレームは、2つのスロットを含んでよい。したがって、各無線フレームは、0〜19というインデックスを有する20個のスロットを含んでよい。各スロットは、L個のシンボル期間、たとえば、(図3に示すような)ノーマルサイクリックプレフィックスのための7個のシンボル期間、または拡張サイクリックプレフィックスのための6個のシンボル期間を含んでよい。各サブフレームの中の2L個のシンボル期間は、0〜2L-1というインデックスが割り当てられてよい。
【００４８】
フレーム、サブフレーム、スロットなどに関していくつかの技法が本明細書で説明されるが、これらの技法は、5G NRにおいて「フレーム」、「サブフレーム」、「スロット」など以外の用語を使用して呼ばれることがある、他のタイプのワイヤレス通信構造に等しく適用され得る。いくつかの態様では、ワイヤレス通信構造は、ワイヤレス通信規格および/またはプロトコルによって規定される、周期的に時間限定された通信単位を指すことがある。
【００４９】
いくつかの電気通信(たとえば、LTE)では、BSは、BSによってサポートされるセルごとにシステム帯域幅の中心において、ダウンリンク上で1次同期信号(PSS)および2次同期信号(SSS)を送信し得る。PSSおよびSSSは、図3に示すように、ノーマルサイクリックプレフィックスを有する各無線フレームのサブフレーム0および5の中の、それぞれ、シンボル期間6および5の中で送信され得る。PSSおよびSSSは、セル探索、捕捉、セル識別情報決定、デスクランブリング、および位相逆回転のために、UEによって使用され得る。BSは、BSによってサポートされるセルごとにシステム帯域幅にわたってセル固有基準信号(CRS:Cell-specific Reference Signal)を送信し得る。CRSは、各サブフレームのいくつかのシンボル期間の中で送信され得、チャネル推定、チャネル品質測定、および/または他の機能を実行するためにUEによって使用され得る。BSはまた、制御チャネルを送信し得る。
【００５０】
いくつかの態様では、BSは、第1の処理方式を使用して処理された制御チャネルを送信し得る。たとえば、BSは、制御チャネルのデータの部分の反復を送信し得、各反復は、共通スクランブリングシーケンスを使用する。このようにして、BSは、干渉がランダム化された制御チャネルを受信するように構成されていないタイプのUEとの互換性を保証し得る。いくつかの態様では、BSは、第2の処理方式を使用して制御チャネルを送信し得る。たとえば、BSは、異なる反復に異なるスクランブリングシーケンス、反復の異なる部分に異なるスクランブリングシーケンス、反復の異なる部分に異なる位相回転などを適用し得る。このようにして、BSは、BSおよび別のBSによって提供される制御チャネル間で、干渉を低減し得るかまたは干渉をランダム化させ得る。
【００５１】
他のシステム(たとえば、そのようなNRまたは5Gシステム)では、ノードBは、これらのロケーションにおいて、またはサブフレームの異なるロケーションにおいて、これらまたは他の信号を送信し得る。
【００５２】
上記のように、図3は一例として提供されるにすぎない。他の例が可能であり、図3に関して説明されたものとは異なってよい。
【００５３】
図4は、ノーマルサイクリックプレフィックスを有する2つの例示的なサブフレームフォーマット410および420を示す。利用可能な時間周波数リソースは、リソースブロックに区分され得る。各リソースブロックは、1つのスロットの中で12本のサブキャリアをカバーし得、いくつかのリソース要素を含んでよい。各リソース要素は、1つのシンボル期間の中で1本のサブキャリアをカバーし得、実数値または複素数値であってよい1つの変調シンボルを送るために使用され得る。
【００５４】
サブフレームフォーマット410は、2つのアンテナに対して使用され得る。CRSが、シンボル期間0、4、7、および11の中でアンテナ0および1から送信され得る。基準信号とは、送信機および受信機によって事前に知られている信号であり、パイロットと呼ばれることもある。CRSとは、たとえば、セル識別情報(ID)に少なくとも部分的に基づいて生成される、セルにとって固有の基準信号である。図4では、ラベルRaを有する所与のリソース要素に対して、そのリソース要素上でアンテナaから変調シンボルが送信されてよく、そのリソース要素上で他のアンテナから変調シンボルが送信されないことがある。変調シンボルのビットは、たとえば、制御チャネル上で干渉を補償するための、処理方式を使用して処理され得る。サブフレームフォーマット420は、4つのアンテナとともに使用され得る。CRSは、シンボル期間0、4、7、および11の中でアンテナ0および1から、かつシンボル期間1および8の中でアンテナ2および3から送信され得る。サブフレームフォーマット410と420の両方に対して、CRSは、セルIDに少なくとも部分的に基づいて決定され得る、均等に離間したサブキャリア上で送信され得る。CRSは、それらのセルIDに応じて、同じかまたは異なるサブキャリア上で送信され得る。サブフレームフォーマット410と420の両方に対して、CRSのために使用されないリソース要素は、データ(たとえば、トラフィックデータ、制御データ、および/または他のデータ)を送信するために使用され得る。
【００５５】
LTEにおけるPSS、SSS、CRS、およびPBCHは、「Evolved Universal Terrestrial Radio Access (E-UTRA); Physical Channels and Modulation」と題する3GPP TS36.211に記載されており、それは一般公開されている。
【００５６】
いくつかの電気通信システム(たとえば、LTE)におけるFDDのためのダウンリンクおよびアップリンクの各々に対して、インターレース構造が使用され得る。たとえば、0〜Q-1というインデックスを有するQ個のインターレースが規定されてよく、ただし、Qは、4、6、8、10、またはいくつかの他の値に等しくてよい。各インターレースは、Qフレームだけ離れて離間しているサブフレームを含んでよい。詳細には、インターレースqは、サブフレームq、q+Q、q+2Qなどを含んでよく、ただし、q∈{0,...,Q-1}である。
【００５７】
ワイヤレスネットワークは、ダウンリンク上およびアップリンク上でのデータ送信のために、ハイブリッド自動再送要求(HARQ)をサポートし得る。HARQのために、送信機(たとえば、BS)は、パケットが受信機(たとえば、UE)によって正しく復号されるか、またはいくつかの他の終了条件に遭遇するまで、パケットの1つまたは複数の送信を送ってよい。同期HARQの場合、パケットのすべての送信は、単一のインターレースのサブフレームの中で送られてよい。非同期HARQの場合、パケットの各送信は、任意のサブフレームの中で送られてよい。
【００５８】
UEは、複数のBSのカバレージ内に配置されてよい。これらのBSのうちの1つが、UEをサービスするために選択され得る。サービングBSは、受信信号強度、受信信号品質、経路損失などの様々な基準に少なくとも部分的に基づいて選択されてよい。受信信号品質は、信号対雑音干渉比(SINR)もしくは基準信号受信品質(RSRQ)、またはいくつかの他のメトリックによって定量化され得る。UEは、干渉している1つまたは複数のBSからの大きい干渉をUEが観測し得る、支配的干渉シナリオ(干渉制限されたシナリオ)において動作し得る。そのようなシナリオでは、また支配的干渉シナリオにおいて動作中のUEのタイプまたは別のUEのタイプに少なくとも部分的に基づいて、BSは処理方式を識別し得、BSは、制御チャネルを介して送信されるビットを処理(たとえば、スクランブル、オフセット、および/または位相回転)してよく、UEは、制御チャネルを受信し得、ビットの処理を逆転させて、制御チャネルを介して伝達された情報を決定し得る。
【００５９】
本明細書で説明する例の態様はLTE技術に関連し得るが、本開示の態様は、NR技術または5G技術などの他のワイヤレス通信システムに適用可能であり得る。
【００６０】
ニューラジオ(NR)とは、(たとえば、直交周波数分割多元接続(OFDMA)ベースのエアインターフェース以外の)新たなエアインターフェースまたは(たとえば、インターネットプロトコル(IP)以外の)確定したトランスポートレイヤに従って動作するように構成された無線を指すことがある。態様では、NRは、CP付きOFDM(本明細書では、サイクリックプレフィックスOFDMまたはCP-OFDMと呼ばれる)および/またはSC-FDMをアップリンク上で利用してよく、ダウンリンク上でCP-OFDMを利用してよく、TDDを使用する半二重動作に対するサポートを含んでよい。態様では、NRは、たとえば、CP付きOFDM(本明細書では、CP-OFDMと呼ばれる)および/または離散フーリエ変換拡散直交周波数分割多重化(DFT-s-OFDM)をアップリンク上で利用してよく、ダウンリンク上でCP-OFDMを利用してよく、TDDを使用する半二重動作に対するサポートを含んでよい。NRは、広い帯域幅(たとえば、80メガヘルツ(MHz)以上)をターゲットとする拡張モバイルブロードバンド(eMBB:enhanced Mobile BroadBand)サービス、高いキャリア周波数(たとえば、60ギガヘルツ(GHz))をターゲットとするミリ波(mmW)、後方互換性のないMTC技法をターゲットとするマッシブMTC(mMTC:massive MTC)、および/または超高信頼低レイテンシ通信(URLLC:Ultra Reliable Low Latency Communication)サービスをターゲットとするミッションクリティカルを含んでよい。
【００６１】
100MHzの単一のコンポーネントキャリア帯域幅がサポートされ得る。NRリソースブロックは、0.1msの持続時間にわたって、サブキャリア帯域幅が75キロヘルツ(kHz)の12本のサブキャリアに広がり得る。各無線フレームは、長さが10msの50個のサブフレームを含んでよい。したがって、各サブフレームは長さが0.2msであり得る。各サブフレームは、データ送信用のリンク方向(たとえば、DLまたはUL)を示してよく、サブフレームごとのリンク方向は、動的に切り替えられてよい。各サブフレームは、DL/ULデータならびにDL/UL制御データを含んでよい。
【００６２】
ビームフォーミングがサポートされてよく、ビーム方向は動的に構成され得る。プリコーディングを伴うMIMO送信もサポートされ得る。DLにおけるMIMO構成は、最大8個のストリームかつUEごとに最大2個のストリームのマルチレイヤDL送信とともに、最大8個の送信アンテナをサポートし得る。UEごとに最大2個のストリームを用いたマルチレイヤ送信がサポートされ得る。複数のセルのアグリゲーションは、最大8個のサービングセルを用いてサポートされ得る。代替として、NRは、OFDMベースのインターフェース以外の異なるエアインターフェースをサポートしてもよい。NRネットワークは、中央ユニットまたは分散ユニットなどのエンティティを含んでよい。
【００６３】
RANは、中央ユニット(CU:Central Unit)および分散ユニット(DU:Distributed Unit)を含んでよい。NR BS(たとえば、gNB、5GノードB、ノードB、送信受信ポイント(TRP)、アクセスポイント(AP))は、1つまたは複数のBSに相当し得る。NRセルは、アクセスセル(ACell:Access Cell)またはデータ専用セル(DCell:Data only Cell)として構成され得る。たとえば、RAN(たとえば、中央ユニットまたは分散ユニット)は、セルを構成することができる。DCellは、キャリアアグリゲーションまたはデュアル接続性のために使用される、ただし、初期アクセス、セル選択/再選択、またはハンドオーバのためには使用されないセルであってよい。場合によっては、DCellは同期信号を送信しないことがあり、場合によっては、DCellはSSを送信することがある。NR BSは、セルタイプを示すダウンリンク信号をUEへ送信し得る。セルタイプ指示に少なくとも部分的に基づいて、UEはNR BSと通信し得る。たとえば、UEは、示されるセルタイプに少なくとも部分的に基づいて、セル選択用、アクセス用、ハンドオーバ用、および/または測定用と見なすべきNR BSを決定し得る。
【００６４】
上記のように、図4は一例として提供されるにすぎない。他の例が可能であり、図4に関して説明されたものとは異なってよい。
【００６５】
図5A〜図5Cは、制御チャネル処理の後方互換性を提供するために、BSが制御チャネルを送信する一例500を示す図である。図5A〜図5Cに示すように、例500は、BS110、およびUE120のセット(たとえば、UE120-1、UE120-2、UE120-3など)を含んでよい。
【００６６】
図5Aでは、505において、BS110は、セルに関連付けられたUEのタイプに少なくとも部分的に基づいて、セルのチャネル(たとえば、制御チャネル)に対して第1の処理方式を適用する。たとえば、BS110は、UE120-1およびUE120-2が各々、干渉がランダム化された制御チャネル(たとえば、別のセルのために送信される別のNPDCCHとの干渉を補償するための処理方式を使用して処理されたNPDCCH)を受信するように構成されている第1のタイプのUEであることを決定し得る。いくつかの態様では、BS110は、第1の処理方式を適用する前に、UEのタイプを識別し得る。たとえば、BS110は、そのUE120-1およびUE120-2を第1のタイプのUEとして識別する、UE120-1およびUE120-2の3GPPリリースバージョンを識別するメッセージなどの、構成メッセージまたは能力メッセージをUE120から受信し得る。いくつかの態様では、BS110は、UE120-1およびUE120-2に関連する、アンカーキャリアまたは非アンカーキャリアなどのキャリアのタイプに少なくとも部分的に基づいて、UE120-1およびUE120-2が第1のタイプに関連することを決定し得る。たとえば、BS110は、UE120-1およびUE120-2に関連するキャリアのタイプが、第1のタイプのUEに関連し第2のタイプのUEには関連しないことを決定し得、UE120-1およびUE120-2が第1のタイプのUEであることを決定し得る。いくつかの態様では、BS110は、チャネルが物理チャネル、ブロードキャストチャネル、データチャネル、共有チャネル、制御チャネル、それらの組合せなどであることを決定することに少なくとも部分的に基づくなどの、チャネルのタイプに少なくとも部分的に基づいて、チャネルに対して利用すべき第1の処理方式を識別し得る。いくつかの態様では、BS110は、第1の処理方式を適用する前に、別のUE120のタイプを識別し得る。たとえば、BS110は、第2のタイプのUE120がセルの中で動作中でないことを決定し得、第2のタイプのUE120がセルの中で動作中でないことを決定することに少なくとも部分的に基づいて、セルに対して第1の処理方式を使用すべきであることを決定し得る。いくつかの態様では、BS110は、UE120-1およびUE120-2に関連する、単一セルポイントツーマルチポイント(SC-PTM:Single Cell Point To Multipoint)サービスなどのサービスのタイプに少なくとも部分的に基づいて、UE120-1およびUE120-2が第1のタイプに関連することを決定し得る。
【００６７】
いくつかの態様では、BS110は、干渉制限されたシナリオにおける干渉を補償するための第1の処理方式を利用し得る。いくつかの態様では、第1の処理方式は、複数の処理ステージを含んでよい。たとえば、第1の処理方式は、第1のブロックの特定の反復および第2のブロックの対応する特定の反復を、共通処理方式を使用して処理させるために、セル識別子に少なくとも部分的に基づいて初期化されチャネルの複数のブロックのうちの各ブロックに適用される第1の処理ステージ、およびセル識別子に少なくとも部分的に基づいて初期化され各ブロックのビットの反復するサブセットの各反復に適用される第2の処理ステージを含んでよい。この場合、共通処理方式は、共通スクランブリングシーケンス、共通回転シーケンスなどを含んでよい。いくつかの態様では、第1の処理方式は、位相回転を含んでよい。たとえば、第1の処理方式は、チャネルのシンボルのスクランブルされたセットに位相回転を適用することなどの、チャネルのシンボルに位相回転を適用することを含んでよい。このようにして、BS110は、干渉制限されたシナリオにおいて、1つまたは複数の他のセルからの干渉を補償し得る。
【００６８】
たとえば、狭帯域物理ダウンリンク共有チャネル(NPDSCH:Narrowband Physical Downlink Shared CHannel)送信の場合、BS110は、複数のサブフレームにNPDSCHをマッピングしてよく、アンテナポートごとに、リソース要素のグループに複素数値のシンボルのブロックをマッピングしてよい。複素数値のシンボルのブロックの反復を得るために、BS110は、複素数値の各シンボルを
【数１】
2020511843.tif 000003
で乗算してよく、ただし、
【数２】
2020511843.tif 000004
であり、ここで、スクランブリングシーケンス
【数３】
2020511843.tif 000005
は、サブフレームの冒頭において、式
【数４】
2020511843.tif 000006
によって初期化され、ただし、cinitはスクランブリングシーケンスの初期化を表し、nRNTIは無線ネットワーク一時識別子(RNTI:Radio Network Temporary Identifier)を表し、nfは無線フレーム番号を表し、nsはスロット番号を表し、NIDNcellはチャネルのセルに対するセル識別子を表す。追加または代替として、NPDCCH送信の場合、BS110は、式
【数５】
2020511843.tif 000007
によってスクランブリングシーケンスを初期化し得る。
【００６９】
510において、BS110は、1つまたは複数の他のセルとの干渉ランダム化をもたらすための第1の処理方式を使用してチャネルを送信する。たとえば、BS110は、チャネルに対して割り振られたリソース割振りを使用して、チャネルをUE120-1およびUE120-2へ送信し得る。いくつかの態様では、BS110は、第1の処理方式がチャネルに適用されることを示す処理方式指示を送信し得る。たとえば、BS110は、第1の処理方式を識別するためのSIB、RRC再構成メッセージなどを送信し得る。いくつかの態様では、BS110は、第1の処理方式が複数のUEに対して使用されることを示すための単一のフィールドを送信し得る。たとえば、BS110が、同じタイプの複数のキャリアにチャネルを提供しているとき、BS110は、BS110が複数のキャリアの各々に対して第1の処理方式を利用していることを示す単一のフィールド(たとえば、単一のビット)を提供し得る。いくつかの態様では、BS110は、UE120-1およびUE120-2がチャネルを受信するとともに第1の処理方式を逆転させることを可能にするために、チャネルを送信することなどと並行して、チャネルを送信する前に処理方式指示を送信し得る。
【００７０】
515において、チャネルを受信すること、およびチャネルが第1の処理方式を使用して処理されていることを識別することに少なくとも部分的に基づいて、UE120-1およびUE120-2は各々、チャネルに関連するデータを受信するために第1の処理方式を逆転させる。たとえば、UE120-1は、チャネルに適用された第1の処理方式を逆転させることに少なくとも部分的に基づいて、UE120-1に対して割り振られたチャネルの一部分がUE120-1用の制御情報を含むことを決定し得る。この場合、UE120-1は、チャネルの中に含まれる制御情報を復元するために、チャネルをデスクランブルすること、チャネルを逆回転させること、チャネルに適用されたオフセットを逆転させることなどを行ってよい。UE120-2は、チャネルの中に含まれUE120-2に向けられた制御情報を復元するために、同様の方法で動作し得る。このようにして、BS110は、干渉制限されたシナリオにおいて、制御チャネルをUE120-1およびUE120-2に提供する。
【００７１】
図5Bでは、520において、第1のシナリオでは、UE120-3などの第2のタイプのUE120がセルの中で動作中であることを識別することに少なくとも部分的に基づいて、BS110は、チャネルに対して第2の処理方式を適用する。たとえば、UE120-3がセルにアクセスすることに少なくとも部分的に基づいて、UE120-3は、UE120-3のリリースを識別する能力指示、または信号処理もしくは干渉消去に関係する能力を識別するための他の能力指示を提供し得、BS110は、第1のタイプのUEによって処理可能かつ第2のタイプのUEによって処理不可能である第1の処理方式を使用することから、第1のタイプのUE(たとえば、UE120-1およびUE120-2)によって処理可能かつ第2のタイプのUE(たとえば、UE120-3)によって処理可能である第2の処理方式を使用することに、切り替えるべきであることを決定し得る。
【００７２】
525において、BS110は、チャネルに対して第2の処理方式を使用してチャネルを提供する。たとえば、BS110は、制御情報をUE120-1、UE120-2、および/またはUE120-3に伝達するために、チャネルをUE120-1、UE120-2、および/またはUE120-3へ送信し得る。いくつかの態様では、BS110は、第2の処理方式を識別するための別の処理方式指示を提供し得る。たとえば、BS110は、第2の処理方式を使用してチャネルを送信することなどと並行して、第2の処理方式を使用してチャネルを送信する前に、第1の処理方式から第2の処理方式への切替えを示す処理方式指示を送信し得る。
【００７３】
530において、BS110からチャネルを受信すること、およびチャネルが第2の処理方式を使用して処理されていることを識別することに少なくとも部分的に基づいて、UE120-1、UE120-2、およびUE120-3は各々、チャネルに関連するデータを受信するために第2の処理方式を逆転させる。たとえば、UE120-1、UE120-2、およびUE120-3は、BS110によって送信されたそれぞれの制御情報を復元し得る。このようにして、UE120-3は、干渉がランダム化されたチャネルを受信および復元できない第2のタイプに関連するが、BS110は、UE120-3がチャネルを受信および復元できることを確実にする。
【００７４】
図5Cでは、535において、第2のシナリオでは、第2のタイプのUE120がセルの中で動作中であることを識別することに少なくとも部分的に基づいて、BS110は、チャネルに対して第1の処理方式および第2の処理方式を適用する。たとえば、BS110は、セルの第1の探索空間を使用する送信用のチャネルに第1の処理方式を適用し得、セルの第2の探索空間を使用する送信用のチャネルに第2の処理方式を適用し得る。追加または代替として、BS110は、UE120-1およびUE120-2がランダムアクセスリソースの第1のセットを使用してセルにアクセスすることに少なくとも部分的に基づいて、ランダムアクセスリソースの第1のセットに対して第1の処理方式を適用し得、UE120-3がランダムアクセスリソースの第2のセットを使用してセルにアクセスすることに少なくとも部分的に基づいて、ランダムアクセスリソースの第2のセットに対して第2の処理方式を適用し得る。
【００７５】
540において、BS110は、第1の探索空間に対して第1の処理方式かつ第2の探索空間に対して第2の処理方式を使用して、チャネルを送信する。いくつかの態様では、BS110は、第1の処理方式が第1の探索空間に対して使用されること、および第2の処理方式が第2の探索空間に対して使用されることを示すための、処理方式指示を送信し得る。追加または代替として、BS110は第1のタイプのUE(たとえば、UE120-1およびUE120-2)が第1の探索空間を使用してチャネルを受信するように構成されていること、および第2のタイプのUE(たとえば、UE120-3)が第2の探索空間を使用してチャネルを受信するように構成されていることに少なくとも部分的に基づいて、処理方式指示の送信を見合わせてよく、そのことは、処理方式指示を送信することに比べてネットワークリソースを温存し得る。いくつかの態様では、BS110は、第1の処理方式を使用する第1のチャネルおよび第2の処理方式を使用する第2のチャネルを、並行して送信し得る。
【００７６】
545において、BS110からチャネルを受信すること、およびチャネルが第1の探索空間に対して第1の処理方式かつ第2の探索空間に対して第2の処理方式を使用して処理されていることを識別することに少なくとも部分的に基づいて、それぞれ、UE120-1および120-2およびUE120-3は各々、チャネル(たとえば、第1のチャネルおよび第2のチャネル)に関連するデータを受信するためにそれぞれの処理方式を逆転させる。たとえば、UE120-1、UE120-2、およびUE120-3は、BS110によって送信された制御情報を復元し得る。このようにして、BS110は、UE120-3がチャネルを受信および復元できることを確実にし、BS110は、干渉を補償してUE120-1およびUE120-2にチャネルを提供する。その上、第1のタイプのUEに提供されるチャネルに対して第1の処理方式を実行することに少なくとも部分的に基づいて、BS110は、第2のタイプのUEに提供される、第2の処理方式を使用して処理された別のチャネルに対する干渉ランダム化をもたらし、それによって、第2のタイプのUEが、干渉を補償するために処理されるチャネルを受信するように構成されることなく、第2のタイプのUEに対する干渉を補償する。
【００７７】
上記のように、図5A〜図5Cは例として提供される。他の例が可能であり、図5A〜図5Cに関して説明されたものとは異なってよい。
【００７８】
図6は、ワイヤレス通信の方法600のフローチャートである。方法600は、(たとえば、BS110、装置702/702'、BS1050などのうちの1つまたは複数に相当し得る)BSによって実行され得る。
【００７９】
610において、いくつかの態様では、BSは、セルに関連付けられたユーザ機器から能力指示を受信する(ブロック610)。たとえば、BSは、(たとえば、UE120、UE750、装置1002/1002'などのうちの1つまたは複数に相当し得る)UEから能力指示を受信し得る。いくつかの態様では、BSは、能力指示に少なくとも部分的に基づいて、セルのチャネル用の処理方式を識別し得る。いくつかの態様では、能力指示は、UEのリリースバージョンを識別する。追加または代替として、能力指示は、UE干渉消去能力、処理能力、UE分類(たとえば、MTC UE、IoT UEなど)、UEのサブリリースバージョン、UE上で動作中のソフトウェアのバージョン、UE上で利用されるアプリケーションなどを識別し得る。いくつかの態様では、リリースバージョンは、UE干渉消去能力、処理能力などを示し得る。いくつかの態様では、能力指示は、リリースバージョンに関連する処理方式のUEサポートを示し得る。いくつかの態様では、能力指示は、UEが処理方式に従ってチャネルを処理できるという、明示的指示であってよい。
【００８０】
620において、BSは、UEのタイプを識別する(ブロック620)。たとえば、BSは、UEのタイプをUEからの能力指示に少なくとも部分的に基づいて識別し得る。いくつかの態様では、UEのタイプは、受信された構成メッセージまたは能力メッセージに少なくとも部分的に基づいて決定され、受信された構成メッセージまたは能力メッセージは、能力指示を含む。いくつかの態様では、処理方式の識別は、キャリアのタイプに少なくとも部分的に基づき、キャリアのタイプは、第1のタイプのUEに関連し第2のタイプのUEには関連しないか、または第1のタイプのUEおよび第2のタイプのUEに関連する。
【００８１】
630において、BSは、セルに関連付けられたUEのタイプに少なくとも部分的に基づいて、セルのチャネル用の処理方式を識別する(ブロック630)。たとえば、BSは、UEへの送信がセルの中で動作中の別のUEへの送信との干渉を引き起こすような近傍内などの、セルまでのしきい値近傍内で動作中の、セルの中で動作中のUEのタイプに少なくとも部分的に基づいて、制御チャネル用の、第1の処理方式または第2の処理方式などの処理方式を識別し得る。いくつかの態様では、処理方式は、第1のタイプのUEによって処理可能かつ第2のタイプのUEによって処理不可能である第1の処理方式、または第1のタイプのUEおよび第2のタイプのUEによって処理可能である第2の処理方式から識別される。いくつかの態様では、処理方式は、チャネルに適用されるスクランブリングシーケンスまたは回転シーケンスに関係する。いくつかの態様では、チャネルはNPDCCHである。
【００８２】
いくつかの態様では、処理方式は、チャネルのタイプに少なくとも部分的に基づいて識別される。いくつかの態様では、チャネルのタイプは、論理チャネルタイプを備える。たとえば、第1のタイプのUEによって受信されるチャネルは、第1の処理方式を使用してよく、第1のタイプのUEと第2のタイプのUEの両方によって受信されるチャネルは、第2の処理方式を使用してよい。追加または代替として、第1のタイプのUEによって受信されるチャネルは、マルチキャスト制御チャネル(MCCH:Multicast Control CHannel)またはマルチキャストトランスポートチャネル(MTCH:Multicast Transport CHannel)を備えてよい。いくつかの態様では、チャネルは、物理チャネル、ブロードキャストチャネル、データチャネル、共有チャネル、制御チャネル、それらの組合せなどを含む。
【００８３】
640において、BSは、処理方式を識別することに少なくとも部分的に基づく処理方式を使用して処理されたチャネルを送信する(ブロック640)。たとえば、スクランブリングシーケンスまたは回転シーケンスを制御チャネルに適用するために、第1の処理方式、第2の処理方式などを使用して制御チャネルを処理することに少なくとも部分的に基づいて、BSは制御チャネルを送信してよい。
【００８４】
いくつかの態様では、チャネルは複数のブロックを含み、複数のブロックのうちの各ブロックは、ビットの反復するサブセットを含み、複数のブロックのうちの各ブロックは、第1の処理ステージを使用して処理され、ブロックごとの、ビットの反復するサブセットの各反復は、第1のブロックのビットの反復するサブセットの特定の反復、および第2のブロックのビットの反復するサブセットの対応する特定の反復が、共通処理方式を使用して処理されるような、第2の処理ステージを使用して処理され、第1の処理ステージおよび第2の処理ステージは各々、セルに対するセル識別子に少なくとも部分的に基づいて初期化される。いくつかの態様では、チャネルは、シンボルの複数のセットを含み、シンボルの複数のセットのうちのシンボルの各セットは、複数のスクランブリングシーケンスのうちのそれぞれのスクランブリングシーケンスを用いてスクランブルされ、シンボルの複数のセットのうちのシンボルの各セットは、少なくとも1つの位相回転に関連付けられ、少なくとも1つの位相回転は、セルに対するセル識別子に少なくとも部分的に基づく。
【００８５】
いくつかの態様では、処理方式はスクランブリング方式であり、スクランブリング方式は、セルに対するセル識別子およびサブフレームに対するサブフレーム識別子に少なくとも部分的に基づく。いくつかの態様では、識別される処理方式に対応する処理方式指示が、セルのUEに提供される。いくつかの態様では、処理方式指示は、SIBの中でブロードキャストされる。いくつかの態様では、処理方式指示は、RRC再構成メッセージを使用してシグナリングされる。
【００８６】
いくつかの態様では、第1の処理方式を使用して処理された第1のチャネルは、第1の処理方式指示を第1のUEに提供することに少なくとも部分的に基づいて、第1のタイプの第1のUEへ送信され、第2の処理方式を使用して処理された第2のチャネルは、第2の処理方式指示を第2のUEに提供することに少なくとも部分的に基づいて、第2のタイプの第2のUEへ送信される。
【００８７】
いくつかの態様では、キャリアに対する処理方式指示がUEに提供される。いくつかの態様では、処理方式指示は、同じタイプの複数のキャリアにおいて使用されるべき処理方式を示す単一のフィールドを含む。いくつかの態様では、キャリアのタイプは、アンカーキャリアまたは非アンカーキャリア(たとえば、ページング用またはランダムアクセス用の非アンカーキャリア)である。いくつかの態様では、チャネルは、マルチキャスト制御チャネル(MCCH)またはマルチキャストトラフィックチャネル(MCTC:MultiCast Traffic Channel)であってよい。
【００８８】
いくつかの態様では、第1の処理方式は、ランダムアクセスリソースの第1のセットを使用してセルにアクセスした第1の1つまたは複数のUEに対して使用され、第2の処理方式は、ランダムアクセスリソースの第2のセットを使用してセルにアクセスした第2の1つまたは複数のUEに対して使用される。いくつかの態様では、チャネルは、第1の処理方式を使用して処理されたとき、セルの第1の探索空間を使用して送信され、チャネルは、第2の処理方式を使用して処理されたとき、セルの第2の探索空間を使用して送信される。いくつかの態様では、第1の処理方式を使用して処理された第1のチャネル、および第2の処理方式を使用して処理された第2のチャネルは、並行して送信される。いくつかの態様では、チャネルは、クロスサブフレームコーディングを使用して処理され、チャネルは、チャネルの部分の反復を用いずに処理される。
【００８９】
図6はワイヤレス通信の方法の例示的なブロックを示すが、いくつかの態様では、方法は、追加のブロック、もっと少数のブロック、異なるブロック、または図6に示すものとは異なって構成されたブロックを含んでよい。追加または代替として、図6に示す2つ以上のブロックが並行して実行されてよい。
【００９０】
図7は、例示的な装置702の中の異なるモジュール/手段/構成要素の間のデータフローを示す概念的なデータフロー図700である。装置702はBSであってよい。いくつかの態様では、装置702は、受信モジュール704、識別モジュール706、および/または送信モジュール708を含む。
【００９１】
受信モジュール704は、1つまたは複数のシグナリングメッセージをUE750からデータ710として受信し得る。たとえば、受信モジュール704は、装置702がUE750のタイプを識別することを可能にするための能力指示を、UE750から受信し得る。いくつかの態様では、受信モジュール704は、UE750のリリースバージョンを識別する能力指示、またはUE750が、第1のタイプの処理方式、第2のタイプの処理方式などを使用して処理されたチャネルを処理できるかどうかに対応する、別のタイプの識別子を受信し得る。いくつかの態様では、受信モジュール704は、本明細書で説明するように、チャネルのビットに適用すべきスクランブリングシーケンスのセット、チャネルのビットに適用すべき回転シーケンスのセットなどを決定することに関連する制御情報を、ネットワークコントローラなどから受信し得る。
【００９２】
識別モジュール706は、セルのチャネル用の処理方式を識別することに関連する情報を、受信モジュール704からデータ712として受け取ってよい。たとえば、識別モジュール706は、UE750のタイプを識別する情報を受け取ってよく、UE750のタイプに少なくとも部分的に基づいて、セルのチャネル用の処理方式を識別し得る。追加または代替として、識別モジュール706は、チャネルの一部分をスクランブルするために装置702によって使用されるべきスクランブリングシーケンス、チャネルの一部分を位相回転させるために装置702によって使用されるべき回転シーケンスなどを識別し得る。いくつかの態様では、装置702は、チャネルに適用されるべき処理方式に対して利用するための、セルに関連付けられたセル識別子を識別し得る。チャネル用の処理方式を識別することに少なくとも部分的に基づいて、装置702は、処理方式を使用してチャネルを処理し得る。
【００９３】
送信モジュール708は、チャネル(たとえば、NPDCCHなどの制御チャネル)をUE750へ送信することに関連する情報を、識別モジュール706からデータ714として受け取ってよい。いくつかの態様では、送信モジュール708は、チャネルを処理するために使用される処理方式を識別する処理方式指示を送信することに関連する情報を受け取ってよい。送信モジュール708は、チャネルをUE750へデータ716として送信し得る。たとえば、送信モジュール708は、第1のタイプのUEによって処理可能である第1の処理方式を使用して処理された制御チャネル、第2のタイプのUEによって処理可能である第2の処理方式を使用する制御チャネルなどを、データ716としてUE750へ送信し得る。いくつかの態様では、送信モジュール708は、第1の処理方式を使用して処理された第1のチャネルおよび第2の処理方式を使用して処理された第2のチャネルを、並行して、連続的になどで、送信し得る。いくつかの態様では、送信モジュール708は、チャネルを処理するために、チャネルのビットおよび/またはシンボルをスクランブルおよび/または位相回転させ得、チャネルを処理することに少なくとも部分的に基づいてチャネルを送信し得る。
【００９４】
装置は、図6および/または図9の上述のフローチャートにおけるアルゴリズムのブロックの各々を実行する追加のモジュールを含んでよい。したがって、図6および/または図9の上述のフローチャートにおける各ブロックは、モジュールによって実行されてよく、装置は、それらのモジュールのうちの1つまたは複数を含んでよい。モジュールは、述べられたプロセス/アルゴリズムを実行するように特に構成された1つまたは複数のハードウェア構成要素であってよく、述べられたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００９５】
図7に示すモジュールの数および構成は一例として提供される。実際には、追加のモジュール、もっと少数のモジュール、異なるモジュール、または図7に示すものとは異なって構成されたモジュールがあってよい。さらに、図7に示す2つ以上のモジュールは、単一のモジュール内に実装されてよく、または図7に示す単一のモジュールは、複数の分散モジュールとして実装されてよい。追加または代替として、図7に示すモジュールのセット(たとえば、1つまたは複数のモジュール)は、図7に示すモジュールの別のセットによって実行されるものとして説明される1つまたは複数の機能を実行してよい。
【００９６】
図8は、処理システム802を採用する装置702'のためのハードウェア実装形態の一例を示す図800である。装置702'はBSであってよい。
【００９７】
処理システム802は、バス804によって概略的に表されるバスアーキテクチャを用いて実装され得る。バス804は、処理システム802の特定の適用例および全体的な設計制約に応じて、任意の数の相互接続バスおよびブリッジを含んでよい。バス804は、プロセッサ806、モジュール704、706、708、およびコンピュータ可読媒体/メモリ808によって表される1つまたは複数のプロセッサおよび/またはハードウェアモジュールを含む、様々な回路を一緒にリンクさせる。バス804はまた、タイミングソース、周辺装置、電圧調整器、および電力管理回路などの、様々な他の回路をリンクさせてよく、それらは当技術分野でよく知られており、したがって、これ以上は説明しない。
【００９８】
処理システム802は、トランシーバ810に結合され得る。トランシーバ810は、1つまたは複数のアンテナ812に結合されている。トランシーバ810は、伝送媒体を介して様々な他の装置と通信するための手段を提供する。トランシーバ810は、1つまたは複数のアンテナ812から信号を受信し、受信された信号から情報を抽出し、抽出された情報を処理システム802に、詳細には受信モジュール704に提供する。加えて、トランシーバ810は、処理システム802から、詳細には送信モジュール708から情報を受け取り、受け取った情報に少なくとも部分的に基づいて、1つまたは複数のアンテナ812に印加されるべき信号を生成する。処理システム802は、コンピュータ可読媒体/メモリ808に結合されたプロセッサ806を含む。プロセッサ806は、コンピュータ可読媒体/メモリ808上に記憶されたソフトウェアの実行を含む、一般的な処理を担当する。ソフトウェアは、プロセッサ806によって実行されたとき、任意の特定の装置に対して上記で説明した様々な機能を処理システム802に実行させる。コンピュータ可読媒体/メモリ808はまた、ソフトウェアを実行するときにプロセッサ806によって操作されるデータを記憶するために使用され得る。処理システムは、モジュール704、706、および708のうちの少なくとも1つをさらに含む。モジュールは、コンピュータ可読媒体/メモリ808の中に存在する/記憶される、プロセッサ806の中で実行しているソフトウェアモジュール、プロセッサ806に結合された1つもしくは複数のハードウェアモジュール、またはそれらの何らかの組合せであってよい。処理システム802は、BS110の構成要素であってよく、メモリ242、ならびに/または送信プロセッサ220、受信プロセッサ238、および/もしくはコントローラ/プロセッサ240のうちの少なくとも1つを含んでよい。
【００９９】
いくつかの態様では、ワイヤレス通信のための装置702/702'は、セルに関連付けられたUEのタイプに少なくとも部分的に基づいて、セルのチャネル用の処理方式を識別するための手段を含む。処理方式は、第1のタイプのユーザ機器によって処理可能かつ第2のタイプのユーザ機器によって処理不可能である第1の処理方式、または第1のタイプのユーザ機器および第2のタイプのユーザ機器によって処理可能である第2の処理方式から識別され得る。処理方式は、チャネルに適用されるスクランブリングシーケンスまたは回転シーケンスに関係し得る。いくつかの態様では、ワイヤレス通信のための装置702/702'は、セルに関連付けられたユーザ機器から能力指示を受信するための手段を含む。いくつかの態様では、ワイヤレス通信のための装置702/702'は、処理方式を識別することに少なくとも部分的に基づく処理方式を使用して処理されたチャネルを送信するための手段を含む。物理ブロードキャストチャネルは、複数のブロックを含んでよい。いくつかの態様では、ワイヤレス通信のための装置702/702'は、セルに関連付けられたUEから能力指示を受信するための手段を含む。チャネル用の処理方式は、能力指示に少なくとも部分的に基づいて識別され得る。上述の手段は、上述の手段によって記載された機能を実行するように構成された、装置702の上述のモジュールおよび/または装置702'の処理システム802のうちの1つまたは複数であってよい。上記で説明したように、処理システム802は、送信プロセッサ220、受信プロセッサ238、および/またはコントローラ/プロセッサ240を含んでよい。したがって、一構成では、上述の手段は、上述の手段によって記載された機能を実行するように構成された、送信プロセッサ220、受信プロセッサ238、および/またはコントローラ/プロセッサ240であってよい。
【０１００】
図8は一例として提供される。他の例が可能であり、図8に関して説明されたものとは異なってよい。
【０１０１】
図9は、ワイヤレス通信の方法900のフローチャートである。方法は、(たとえば、UE120、UE750、装置1002/1002'などのうちの1つまたは複数に相当し得る)UEによって実行され得る。
【０１０２】
910において、いくつかの態様では、UEは、セルに関連付けられたBSへ能力指示を送信し得る。たとえば、UEは、BSに対するUEのタイプを識別するための能力指示を、(たとえば、BS110、装置702/702'、BS1050などのうちの1つまたは複数に相当し得る)BSへ送信し得る。いくつかの態様では、UEは構成メッセージまたは能力メッセージを提供し、構成メッセージまたは能力メッセージは能力指示を含む。いくつかの態様では、能力指示は、ユーザ機器のリリースバージョンを識別する。
【０１０３】
915において、いくつかの態様では、BSは、チャネル用の処理方式を識別し得る(ブロック915)。たとえば、BSは、UEのタイプに少なくとも部分的に基づいて処理方式を識別し得る。いくつかの態様では、BSは、UEから能力指示を受信することに少なくとも部分的に基づいて処理方式を識別し得る。いくつかの態様では、BSは、チャネルに対して識別される処理方式を識別するための処理方式指示を提供し得る。
【０１０４】
920において、いくつかの態様では、UEは、チャネル用の処理方式を識別する処理方式指示を受信し得る。たとえば、UEは、UEのタイプに少なくとも部分的に基づいてBSによって識別されるチャネル用の処理方式を識別するための処理方式指示を、BSから受信し得る。いくつかの態様では、処理方式指示は、システム情報ブロックの中で受信される。いくつかの態様では、処理方式指示は、無線リソース制御再構成メッセージの中で受信される。
【０１０５】
930において、UEは、能力指示に少なくとも部分的に基づいて識別される処理方式を使用して処理された、セルのチャネルを受信し得る。たとえば、UEは、UEのタイプに少なくとも部分的に基づいて識別される処理方式を使用して処理されているチャネルを、BSから受信し得る。いくつかの態様では、処理方式は、第1のタイプのユーザ機器によって処理可能かつ第2のタイプのユーザ機器によって利用不可能である第1の処理方式、または第1のタイプのユーザ機器および第2のタイプのユーザ機器によって処理可能である第2の処理方式から識別される。いくつかの態様では、処理方式は、チャネルに適用されるスクランブリングシーケンスまたは回転シーケンスに関係する。いくつかの態様では、処理方式は、キャリアのタイプに少なくとも部分的に基づいて識別され、キャリアのタイプは、第1のタイプのUEに関連し第2のタイプのUEには関連しないか、または第1のタイプのUEおよび第2のタイプのUEに関連する。いくつかの態様では、キャリアに対する処理方式指示が、UEによって受信される。いくつかの態様では、処理方式は、チャネルのタイプに少なくとも部分的に基づいて識別される。
【０１０６】
図9はワイヤレス通信の方法の例示的なブロックを示すが、いくつかの態様では、方法は、追加のブロック、もっと少数のブロック、異なるブロック、または図9に示すものとは異なって構成されたブロックを含んでよい。追加または代替として、図9に示す2つ以上のブロックが並行して実行されてよい。
【０１０７】
図10は、例示的な装置1002の中の異なるモジュール/手段/構成要素の間のデータフローを示す概念的なデータフロー図1000である。装置1002はUEであってよい。いくつかの態様では、装置1002は、受信モジュール1004、決定モジュール1006、および/または送信モジュール1008を含む。
【０１０８】
受信モジュール1004は、チャネル(たとえば、NPDCCHなどの制御チャネル)に関連する情報をBS1050からデータ1010として受信してよく、チャネルを受信することに関連する情報を決定モジュール1006からデータ1012として受け取ってよい。たとえば、受信モジュール1004は、第1のタイプのUEによって処理可能である第1の処理方式を使用して処理されたチャネル、第2のタイプのUEによって処理可能である第2の処理方式を使用する制御チャネルなどを受信し得る。追加または代替として、受信モジュール1004は、チャネルを受信かつ/またはチャネルを処理するために使用され得る処理方式インジケータなどの、処理方式を識別する情報を受信し得る。いくつかの態様では、受信モジュール1004は、チャネルを処理するために、チャネルのビットおよび/またはシンボルをデスクランブルおよび/または逆位相回転させ得、チャネルを処理することに少なくとも部分的に基づいてチャネルを受信し得る。
【０１０９】
決定モジュール1006は、チャネルに関連する情報をデータ1012および/またはデータ1014として提供し得る。たとえば、決定モジュール1006は、チャネル用のリソースのセット、チャネルに対するスケジュールなどを識別する情報などの、処理方式を使用して処理されたチャネルを受信することに関連する情報を提供し得る。追加または代替として、決定モジュール1006は、送信モジュール1008が能力指示をBS1050に提供することを可能にして、BS1050がチャネル用の処理方式を識別することを可能にするために、装置1002のタイプ、装置1002の能力などを識別する情報を提供し得る。
【０１１０】
送信モジュール1008は、1つまたは複数のシグナリングメッセージをBS1050へデータ1016として送信し得る。たとえば、送信モジュール1008は、BS1050が装置1002のタイプを識別することを可能にするための能力指示を、BS1050へ送信し得る。いくつかの態様では、送信モジュール1008は、装置1002のリリースバージョンを識別する能力指示、または装置1002が、第1のタイプの処理方式、第2のタイプの処理方式などを使用して処理されたチャネルを処理できるかどうかに対応する別のタイプの識別子を送信し得る。
【０１１１】
装置は、図6および/または図9の上述のフローチャートにおけるアルゴリズムのブロックの各々を実行する追加のモジュールを含んでよい。したがって、図6および/または図9の上述のフローチャートにおける各ブロックは、モジュールによって実行されてよく、装置は、それらのモジュールのうちの1つまたは複数を含んでよい。モジュールは、述べられたプロセス/アルゴリズムを実行するように特に構成された1つまたは複数のハードウェア構成要素であってよく、述べられたプロセス/アルゴリズムを実行するように構成されたプロセッサによって実施されてよく、プロセッサによる実施のためにコンピュータ可読媒体内に記憶されてよく、またはそれらの何らかの組合せであってよい。
【０１１２】
図10に示すモジュールの数および構成は一例として提供される。実際には、追加のモジュール、もっと少数のモジュール、異なるモジュール、または図10に示すものとは異なって構成されたモジュールがあってよい。さらに、図10に示す2つ以上のモジュールは、単一のモジュール内に実装されてよく、または図10に示す単一のモジュールは、複数の分散モジュールとして実装されてよい。追加または代替として、図10に示すモジュールのセット(たとえば、1つまたは複数のモジュール)は、図10に示すモジュールの別のセットによって実行されるものとして説明される1つまたは複数の機能を実行してよい。
【０１１３】
図11は、処理システム1102を採用する装置1002'のためのハードウェア実装形態の一例を示す図1100である。装置1002'はUEであってよい。
【０１１４】
処理システム1102は、バス1104によって概略的に表されるバスアーキテクチャを用いて実装され得る。バス1104は、処理システム1102の特定の適用例および全体的な設計制約に応じて、任意の数の相互接続バスおよびブリッジを含んでよい。バス1104は、プロセッサ1106、モジュール1004、1006、1008、およびコンピュータ可読媒体/メモリ1108によって表される1つまたは複数のプロセッサおよび/またはハードウェアモジュールを含む、様々な回路を一緒にリンクさせる。バス1104はまた、タイミングソース、周辺装置、電圧調整器、および電力管理回路などの、様々な他の回路をリンクさせてよく、それらは当技術分野でよく知られており、したがって、これ以上は説明しない。
【０１１５】
処理システム1102は、トランシーバ1110に結合され得る。トランシーバ1110は、1つまたは複数のアンテナ1112に結合されている。トランシーバ1110は、伝送媒体を介して様々な他の装置と通信するための手段を提供する。トランシーバ1110は、1つまたは複数のアンテナ1112から信号を受信し、受信された信号から情報を抽出し、抽出された情報を処理システム1102に、詳細には受信モジュール1004に提供する。加えて、トランシーバ1110は、処理システム1102から、詳細には送信モジュール1008から情報を受け取り、受け取った情報に少なくとも部分的に基づいて、1つまたは複数のアンテナ1112に印加されるべき信号を生成する。処理システム1102は、コンピュータ可読媒体/メモリ1108に結合されたプロセッサ1106を含む。プロセッサ1106は、コンピュータ可読媒体/メモリ1108上に記憶されたソフトウェアの実行を含む、一般的な処理を担当する。ソフトウェアは、プロセッサ1106によって実行されたとき、任意の特定の装置に対して上記で説明した様々な機能を処理システム1102に実行させる。コンピュータ可読媒体/メモリ1108はまた、ソフトウェアを実行するときにプロセッサ1106によって操作されるデータを記憶するために使用され得る。処理システムは、モジュール1004、1006、および1008のうちの少なくとも1つをさらに含む。モジュールは、コンピュータ可読媒体/メモリ1108の中に存在する/記憶される、プロセッサ1106の中で実行しているソフトウェアモジュール、プロセッサ1106に結合された1つもしくは複数のハードウェアモジュール、またはそれらの何らかの組合せであってよい。処理システム1102は、UE120の構成要素であってよく、メモリ282、ならびに/またはTX MIMOプロセッサ266、RXプロセッサ258、および/もしくはコントローラ/プロセッサ280のうちの少なくとも1つを含んでよい。
【０１１６】
いくつかの態様では、ワイヤレス通信のための装置1002/1002'は、セルに関連付けられた基地局へ能力指示を送信するための手段、能力指示に少なくとも部分的に基づいて識別される処理方式を使用して処理された、セルのチャネルを受信するための手段などを含む。上述の手段は、上述の手段によって記載された機能を実行するように構成された、装置1002の上述のモジュールおよび/または装置1002'の処理システム1102のうちの1つまたは複数であってよい。上記で説明したように、処理システム1102は、TX MIMOプロセッサ266、RXプロセッサ258、および/またはコントローラ/プロセッサ280を含んでよい。したがって、一構成では、上述の手段は、上述の手段によって記載された機能を実行するように構成された、TX MIMOプロセッサ266、RXプロセッサ258、および/またはコントローラ/プロセッサ280であってよい。
【０１１７】
図1100は一例として提供される。他の例が可能であり、図1100に関して説明されたものとは異なってよい。
【０１１８】
開示するプロセス/フローチャートにおけるブロックの特定の順序または階層は、例示的な手法の例示であることを理解されたい。設計選好に基づいて、プロセス/フローチャートにおけるブロックの特定の順序または階層が並べ替えられてよいことを理解されたい。さらに、いくつかのブロックが組み合わせられてよく、または省略されてよい。添付の方法クレームは、様々なブロックの要素を例示的な順序で提示したものであり、提示された特定の順序または階層に限定されるものでない。
【０１１９】
前の説明は、いかなる当業者も本明細書で説明した様々な態様を実践することを可能にするために提供される。これらの態様に対する様々な修正は当業者には容易に明らかであり、本明細書で規定された一般原理は他の態様に適用され得る。したがって、特許請求の範囲は、本明細書に示す態様に限定されるものではなく、クレーム文言に矛盾しない最大の範囲を与えられるべきであり、単数形での要素への言及は、そのように明記されていない限り、「唯一無二の」を意味するものではなく、「1つまたは複数の」を意味するものである。「例示的」という語は、「例、事例、または例示として働くこと」を意味するために本明細書で使用される。「例示的」として本明細書で説明したいかなる態様も、必ずしも他の態様よりも好ましいかまたは有利であると解釈されるべきではない。別段に明記されていない限り、「いくつかの」という用語は1つまたは複数を指す。「A、B、またはCのうちの少なくとも1つ」、「A、B、およびCのうちの少なくとも1つ」、および「A、B、C、またはそれらの任意の組合せ」などの組合せは、A、B、および/またはCの任意の組合せを含み、複数のA、複数のB、または複数のCを含んでよい。詳細には、「A、B、またはCのうちの少なくとも1つ」、「A、B、およびCのうちの少なくとも1つ」、および「A、B、C、またはそれらの任意の組合せ」などの組合せは、Aのみ、Bのみ、Cのみ、AおよびB、AおよびC、BおよびC、またはAおよびBおよびCであってよく、ここで、そのような任意の組合せは、A、B、またはCのうちの1つまたは複数のメンバーを含んでよい。当業者に知られているか、または後で知られていることになる、本開示全体にわたって説明した様々な態様の要素に対するすべての構造的および機能的な均等物は、参照により本明細書に明確に組み込まれ、特許請求の範囲によって包含されることが意図される。その上、本明細書で開示するものは、そのような開示が特許請求の範囲において明示的に記載されているかどうかにかかわらず、公に供されることは意図されていない。「ための手段」という句を使用して要素が明確に記載されていない限り、いかなるクレーム要素もミーンズプラスファンクションとして解釈されるべきでない。
【符号の説明】
【０１２０】
100  ネットワーク
102  セル
110  基地局
120  ユーザ機器
130  ネットワークコントローラ
212  データソース
220  送信プロセッサ
230  送信(TX)多入力多出力(MIMO)プロセッサ
232  変調器(MOD)/復調器(DEMOD)
234  アンテナ
236  MIMO検出器
238  受信プロセッサ
239  データシンク
240  コントローラ/プロセッサ
242  メモリ
244  通信ユニット
246  スケジューラ
252  アンテナ
254  変調器(MOD)/復調器(DEMOD)
256  MIMO検出器
258  受信プロセッサ
260  データシンク
262  データソース
264  送信プロセッサ
266  送信(TX)多入力多出力(MIMO)プロセッサ
280  コントローラ/プロセッサ
282  メモリ
290  コントローラ/プロセッサ
292  メモリ
294  通信ユニット
300  フレーム構造
410、420  サブフレームフォーマット
702  装置
704  受信モジュール
706  識別モジュール
708  送信モジュール
750  ユーザ機器
802  処理システム
804  バス
806  プロセッサ
808  コンピュータ可読媒体/メモリ
810  トランシーバ
812  アンテナ
1002  装置
1004  受信モジュール
1006  決定モジュール
1008  送信モジュール
1050  基地局
1102  処理システム
1104  バス
1106  プロセッサ
1108  コンピュータ可読媒体/メモリ
1110  トランシーバ
1112  アンテナ
【図１】
2020511843.tif 000008
【図２】
2020511843.tif 000009
【図３】
2020511843.tif 000010
【図４】
2020511843.tif 000011
【図５Ａ】
2020511843.tif 000012
【図５Ｂ】
2020511843.tif 000013
【図５Ｃ】
2020511843.tif 000014
【図６】
2020511843.tif 000015
【図７】
2020511843.tif 000016
【図８】
2020511843.tif 000017
【図９】
2020511843.tif 000018
【図１０】
2020511843.tif 000019
【図１１】
2020511843.tif 000020
【国際調査報告】
2020511843.tif 000021
2020511843.tif 000022
2020511843.tif 000023